(57)【要約】ワイヤレス通信のための方法、システム、およびデバイスが説明される。ユーザ機器（ＵＥ）は、アンテナのセットを使用して第１の無線アクセス技術（ＲＡＴ）の無線周波数スペクトル帯域上で通信していることがあり得る。ＵＥは、第２のＲＡＴの無線周波数スペクトル帯域上で第１のスキャンを遂行するようにアンテナのセットのうちの少なくとも１つのアンテナを再構成し得る。ＵＥは、第２のＲＡＴの無線周波数スペクトル帯域上で第２のスキャンを遂行するようにアンテナのセットのうちのアンテナの残りの部分を再構成するかどうかを第１のスキャンに基づいて決定し得る。【選択図】図２
2019512937.tif 000002
【特許請求の範囲】
【請求項１】
ワイヤレス通信の方法であって、
アンテナのセットを使用して第１の無線アクセス技術（ＲＡＴ）の無線周波数スペクトル帯域上で通信することと、
第２のＲＡＴの前記無線周波数スペクトル帯域上で第１のスキャンを遂行するようにアンテナの前記セットのうちの少なくとも１つのアンテナを再構成することと、
前記第２のＲＡＴの前記無線周波数スペクトル帯域上で第２のスキャンを遂行するようにアンテナの前記セットのうちのアンテナの残りの部分を再構成するかどうかを前記第１のスキャンに少なくとも部分的に基づいて決定することと
を備える、方法。
【請求項２】
アクセスポイントカウント値がチャネル条件メトリックより低いことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、請求項１に記載の方法。
【請求項３】
アクセスポイントカウントがしきい値レベルより大きいことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、請求項１に記載の方法。
【請求項４】
アクセスポイントのセットのうちの少なくとも１つのアクセスポイントが前記第１のスキャン中に検出されたことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、請求項１に記載の方法。
【請求項５】
複数の無線周波数スペクトル帯域についてのチャネルスキャン分布値が予め定義された偏差値内にあることを決定することと、
前記第２のＲＡＴの前記無線周波数スペクトル帯域上で前記第１のスキャンを遂行するようにアンテナの前記セットのうちの前記少なくとも１つのアンテナを前記チャネルスキャン分布値に少なくとも部分的に基づいて再構成することと
をさらに備える、請求項１に記載の方法。
【請求項６】
前記第１のスキャンが優先度スキャンに関連付けられることを決定することと、
前記優先度スキャンを遂行するようにアンテナの前記セットのうちのアンテナの前記残りの部分を再構成することと
をさらに備える、請求項１に記載の方法。
【請求項７】
異なる無線周波数スペクトル帯域に関連付けられた輻輳メトリックがしきい値レベルを上回ることを決定することと、
前記第１のスキャンを遂行するようにアンテナの前記セットのうちの前記少なくとも１つのアンテナを再構成することを控えることと
をさらに備える、請求項１に記載の方法。
【請求項８】
前記第１のＲＡＴの前記無線周波数スペクトル帯域上でのある時間期間中の前記通信についての優先度メトリックを識別することをさらに備える、
請求項１に記載の方法。
【請求項９】
前記ある時間期間中に前記第１および第２のスキャンを遂行するようにアンテナの前記セットのうちの、前記少なくとも１つのアンテナ、アンテナの前記残りの部分、またはそれらの組み合わせを前記優先度メトリックに少なくとも部分的に基づいて再構成することをさらに備える、
請求項８に記載の方法。
【請求項１０】
ワイヤレス通信の方法であって、
第１の無線アクセス技術（ＲＡＴ）の無線周波数スペクトル帯域上でのある時間期間中の通信についての優先度メトリックを識別することと、
第２のＲＡＴの前記無線周波数スペクトル帯域上でスキャンを遂行するようにアンテナのセットのうちの少なくとも１つのアンテナを前記優先度メトリックに少なくとも部分的に基づいて再構成することと、
前記第２のＲＡＴの前記無線周波数スペクトル帯域上で前記ある時間期間中に前記スキャンを遂行することと
を備える、方法。
【請求項１１】
前記第２のＲＡＴの前記無線周波数スペクトル帯域上で前記スキャンを遂行することは、前記第１のＲＡＴ上での前記ある時間期間中の前記通信に干渉することを備える、
請求項１０に記載の方法。
【請求項１２】
前記スキャンは、デュアルアンテナチューンアウェイプロシージャを備える、
請求項１１に記載の方法。
【請求項１３】
前記優先度メトリックは、前記ある時間期間中の前記通信が少なくとも１つのブランクサブフレームを備えることを示す、
請求項１０に記載の方法。
【請求項１４】
前記第１のＲＡＴの前記無線周波数スペクトル帯域上での前記通信の前記ある時間期間中の前記通信に干渉することを避けるために、前記第２のＲＡＴの前記無線周波数スペクトル帯域上で前記少なくとも１つのブランクサブフレーム中に前記スキャンを遂行すること  をさらに備える、
請求項１３に記載の方法。
【請求項１５】
ワイヤレス通信の方法であって、
アンテナのセットを使用して第１の無線アクセス技術（ＲＡＴ）の無線周波数スペクトル帯域上で通信することと、アンテナの前記セットは、前記通信に関連付けられたランクモードに少なくとも部分的に基づく、
前記通信に関連付けられた要求要件がしきい値レベルを下回ることをアンテナの前記セットのうちの少なくとも１つのアンテナについて決定することと、
第２のＲＡＴの前記無線周波数スペクトル帯域上で通信を遂行するようにアンテナの前記セットのうち前記の少なくとも１つのアンテナを前記要求要件に少なくとも部分的に基づいて再構成することと
を備える、方法。
【請求項１６】
前記要求要件は、前記通信がしきい値レベルを下回るスループット要件に関連付けられることを示す、
請求項１５に記載の方法。
【請求項１７】
前記要求要件は、前記通信がしきい値を上回るチャネル条件パラメータに関連付けられることを示す、
請求項１５に記載の方法。
【請求項１８】
前記要求要件は、前記通信が予め定義された変調およびコーディングスキームに関連付けられることを示す、
請求項１５に記載の方法。
【請求項１９】
アンテナの前記セットのうちの前記少なくとも１つのアンテナが再構成されたというインジケーションを備えるメッセージをアクセスポイントに送信することをさらに備える、
請求項１５に記載の方法。
【請求項２０】
前記メッセージは、多入力／多出力（ＭＩＭＯ）省電力（ＰＳ）アクションフレームを備える、
請求項１９に記載の方法。
【請求項２１】
前記第１のＲＡＴの前記無線周波数スペクトル帯域上でのある時間期間中の通信についての優先度メトリックを識別することと、
前記第２のＲＡＴの前記無線周波数スペクトル帯域上で通信を遂行するようにアンテナの前記セットのうちの前記少なくとも１つのアンテナを再構成することと
をさらに備える、請求項１５に記載の方法。
【請求項２２】
前記第１の無線アクセス技術（ＲＡＴ）の前記無線周波数スペクトル帯域上での通信のためにアンテナの前記セットのうちの少なくとも１つのアンテナを構成することと、
第２のＲＡＴの前記無線周波数スペクトル帯域上でスキャンを遂行することに関連付けられたスキャン要求を受信することと
をさらに備える、請求項１５に記載の方法。
【請求項２３】
前記第２のＲＡＴの前記無線周波数スペクトル帯域上で前記スキャンを前記スキャン要求に少なくとも部分的に基づいて遂行することをさらに備える、
請求項２２に記載の方法。
【請求項２４】
前記スキャンに関連付けられたスキャン結果を示す出力を提供することをさらに備える、
請求項２３に記載の方法。
【請求項２５】
前記スキャン中に受信されたメッセージの少なくとも一部分を復号することと、
前記メッセージに関連付けられた情報を前記スキャン結果に含めるかどうかを前記メッセージの前記復号された一部分に少なくとも部分的に基づいて決定することと
をさらに備える、請求項２４に記載の方法。
【請求項２６】
前記第１のＲＡＴの前記無線周波数スペクトル帯域上での前記通信に関連付けられたある時間期間の間の低減された通信要件を識別することと、
前記ある時間期間中に遂行されるように前記スキャンをスケジューリングすることと
をさらに備える、請求項２２に記載の方法。
【請求項２７】
前記ある時間期間は、送信時間間隔の少なくとも一部分を備える、請求項２６に記載の方法。
【請求項２８】
ワイヤレス通信の方法であって、
第１の無線アクセス技術（ＲＡＴ）の無線周波数スペクトル帯域上での通信のために使用されるランクモード修正スケジュールに関連付けられたある時間期間を識別することと、
第２のＲＡＴの前記無線周波数スペクトル帯域上でのバースト通信要件を識別すること、前記バースト通信要件は、前記ランクモード修正スケジュールに関連付けられた前記ある時間期間より短い持続時間を備える、と、
前記第２のＲＡＴの前記無線周波数スペクトル帯域上で前記持続時間中にバースト通信を遂行するようにアンテナのセットのうちの少なくとも１つのアンテナを、前記持続時間が時間的により短いことに少なくとも部分的に基づいて再構成することと
を備える、方法。
【請求項２９】
前記バースト通信は、前記第２のＲＡＴの前記無線周波数スペクトル帯域上でのチャネル測定プロシージャを備える、請求項２８に記載の方法。
【請求項３０】
アンテナの前記セットのうちの前記少なくとも１つのアンテナが再構成されたことを示すメッセージを基地局に送信することを控えることをさらに備える、
請求項２８に記載の方法。
【発明の詳細な説明】
【関連出願の相互参照】
【０００１】
[0001]本特許出願は、２０１６年８月２６日に出願された「Radio Frequency Spectrum Band Harmonization」と題されたHomChaudhuri他による米国特許出願第１５／２４９，３４４号、および２０１６年３月１０日に出願された「Radio Frequency Spectrum Band Harmonization」と題されたHomChaudhuri他による米国仮特許出願第６２／３０６，６３０号の優先権を主張し、それらの各々は、本願の譲受人に譲渡される。
【背景技術】
【０００２】
[0002]以下は概して、ワイヤレス通信に関し、より具体的には、無線周波数スペクトル帯域調和化（radio frequency spectrum band harmonization）に関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含み得、各々が、複数の通信デバイスのための通信を同時にサポートし、それらは各々、ユーザ機器（ＵＥ）と呼ばれ得る。ワイヤレスネットワークはまた、Ｗｉ−Ｆｉ（すなわち、ＩＥＥＥ８０２．１１）ネットワークのようなワイヤレスローカルエリアネットワーク（ＷＬＡＮ）のコンポーネントを含み、少なくとも１つのＵＥまたは局（ＳＴＡ）と通信し得るアクセスポイント（ＡＰ）を含み得る。
【０００４】
[0004]ワイヤレス通信システムは、異なる無線アクセス技術（ＲＡＴ）を使用して通信をサポートする異種システムであり得る。異なるＲＡＴは従来、少なくとも１つの無線周波数スペクトル帯域を使用して通信し得る。同じ無線周波数スペクトル帯域（例えば、同じ周波数、トーン、等）を使用するとき、適した共存スキーム（co-existence schemes）が、干渉を低減するにあたって役に立ち得る。従来の共存技法は、他のＲＡＴを犠牲にして無線周波数スペクトル帯域上での通信のために１つのＲＡＴを選択することをサポートし得る。例えば、ワイヤレスローカルエリアネットワーク（ＷＬＡＮ）ＲＡＴが無線周波数スペクトル帯域上で通信しているとき、ワイヤレスワイドエリアネットワーク（ＷＷＡＮ）ＲＡＴは、通信できないことがあり得るか、またはＷＬＡＮ通信によって引き起こされた過剰な量の干渉を伴って通信し得る。
【発明の概要】
【０００５】
[0005]説明される技法は、無線周波数スペクトル帯域調和化のためのスマートな共存技法をサポートする改善された方法、システム、またはデバイスに関する。概して、説明される技法は、異なるＲＡＴの無線周波数スペクトル帯域上での通信をサポートするために様々なスキームをインプリメントするＵＥを提供する。例えば、ＵＥは、無線周波数スペクトル帯域上での動作をサポートするためのＷＡＮ ＲＡＴマイクロチューンアウェイプロシージャ（WAN RAT micro tune-away procedure）、スタガリングＷＬＡＮ ＲＡＴスキャン（staggering WLAN RAT scans）、適応型リンク／チェーン再構成（adaptive link/chain reconfiguration）、等をサポートする管理技法、リソース、または動的アンテナをサポートし得る。いくつかの例では、説明される共存技法は、アンライセンス無線周波数スペクトル帯域、例えば、５ＧＨｚの無線周波数スペクトル帯域中でのＷＬＡＮ ＲＡＴおよびＷＷＡＮ ＲＡＴ通信をサポートするためにＵＥによって動作可能である。説明される技法のいくつかの態様では、ＵＥは、動的スキャンチェーンモード（dynamic scan chain mode）、スマートスケジューリング技法、同時アクティブ状態における適応型リンク再構成（adaptive link reconfiguration in concurrent active states）、マイクロチューンアウェイプロシージャ、第２のＲＡＴの第１のＲＡＴ支援測定（first RAT assisted measurement of a second RAT）、等をサポートし得る。
【０００６】
[0006]ワイヤレス通信の方法が説明される。方法は、アンテナのセットを使用して第１の無線アクセス技術（ＲＡＴ）の無線周波数スペクトル帯域上で通信することと、第２のＲＡＴの無線周波数スペクトル帯域上で第１のスキャンを遂行するようにアンテナのセットのうちの少なくとも１つのアンテナを再構成することと、第２のＲＡＴの無線周波数スペクトル帯域上で第２のスキャンを遂行するようにアンテナのセットのうちのアンテナの残りの部分を再構成するかどうかを第１のスキャンに少なくとも部分的に基づいて決定することとを含み得る。
【０００７】
[0007]ワイヤレス通信のための装置が説明される。装置は、アンテナのセットを使用して第１の無線アクセス技術（ＲＡＴ）の無線周波数スペクトル帯域上で通信するための手段と、第２のＲＡＴの無線周波数スペクトル帯域上で第１のスキャンを遂行するようにアンテナのセットのうちの少なくとも１つのアンテナを再構成するための手段と、第２のＲＡＴの無線周波数スペクトル帯域上で第２のスキャンを遂行するようにアンテナのセットのうちのアンテナの残りの部分を再構成するかどうかを第１のスキャンに少なくとも部分的に基づいて決定するための手段とを含み得る。
【０００８】
[0008]さらなる装置が説明される。装置は、プロセッサと、プロセッサと電子通信中のメモリと、メモリ中に記憶された命令とを含み得る。命令は、プロセッサに、アンテナのセットを使用して第１の無線アクセス技術（ＲＡＴ）の無線周波数スペクトル帯域上で通信することと、第２のＲＡＴの無線周波数スペクトル帯域上で第１のスキャンを遂行するようにアンテナのセットのうちの少なくとも１つのアンテナを再構成することと、第２のＲＡＴの無線周波数スペクトル帯域上で第２のスキャンを遂行するようにアンテナのセットのうちのアンテナの残りの部分を再構成するかどうかを第１のスキャンに少なくとも部分的に基づいて決定することとを行わせるように動作可能であり得る。
【０００９】
[0009]ワイヤレス通信のための非一時的コンピュータ可読媒体が説明される。非一時的コンピュータ可読媒体は、プロセッサに、アンテナのセットを使用して第１の無線アクセス技術（ＲＡＴ）の無線周波数スペクトル帯域上で通信することと、第２のＲＡＴの無線周波数スペクトル帯域上で第１のスキャンを遂行するようにアンテナのセットのうちの少なくとも１つのアンテナを再構成することと、第２のＲＡＴの無線周波数スペクトル帯域上で第２のスキャンを遂行するようにアンテナのセットのうちのアンテナの残りの部分を再構成するかどうかを第１のスキャンに基づいて決定することとを行わせるための命令を含み得る。
【００１０】
[0010]上述された方法、装置、または非一時的コンピュータ可読媒体のいくつかの例はさらに、アクセスポイントカウント値がチャネル条件メトリックより低いことを第１のスキャンに基づいて決定するための処理、特徴、手段、または命令を含み得る。上述された方法、装置、または非一時的コンピュータ可読媒体のいくつかの例はさらに、第２のスキャンを遂行するようにアンテナのセットのうちのアンテナの残りの部分を再構成することを控えるための処理、特徴、手段、または命令を含み得る。
【００１１】
[0011]上述された方法、装置、または非一時的コンピュータ可読媒体のいくつかの例はさらに、アクセスポイントカウントがしきい値レベルより大きいことを第１のスキャンに基づいて決定するための処理、特徴、手段、または命令を含み得る。上述された方法、装置、または非一時的コンピュータ可読媒体のいくつかの例はさらに、第２のスキャンを遂行するようにアンテナのセットのうちのアンテナの残りの部分を再構成することを控えるための処理、特徴、手段、または命令を含み得る。
【００１２】
[0012]上述された方法、装置、または非一時的コンピュータ可読媒体のいくつかの例はさらに、アクセスポイントのセットのうちの少なくとも１つのアクセスポイントが第１のスキャン中に検出されたことを第１のスキャンに基づいて決定するための処理、特徴、手段、または命令を含み得る。上述された方法、装置、または非一時的コンピュータ可読媒体のいくつかの例はさらに、第２のスキャンを遂行するようにアンテナのセットのうちのアンテナの残りの部分を再構成することを控えるための処理、特徴、手段、または命令を含み得る。
【００１３】
[0013]上述された方法、装置、または非一時的コンピュータ可読媒体のいくつかの例はさらに、無線周波数スペクトル帯域のセットについてのチャネルスキャン分布値（a channel scan distribution value）が予め定義された偏差値（a predefined deviation value）内にあることを決定するための処理、特徴、手段、または命令を含み得る。上述された方法、装置、または非一時的コンピュータ可読媒体のいくつかの例はさらに、第２のＲＡＴの無線周波数スペクトル帯域上で第１のスキャンを遂行するようにアンテナのセットのうちの少なくとも１つのアンテナをチャネルスキャン分布値に基づいて再構成するための処理、特徴、手段、または命令を含み得る。
【００１４】
[0014]上述された方法、装置、または非一時的コンピュータ可読媒体のいくつかの例はさらに、第１のスキャンが優先度スキャン（a priority scan）に関連付けられることを決定するための処理、特徴、手段、または命令を含み得る。上述された方法、装置、または非一時的コンピュータ可読媒体のいくつかの例はさらに、優先度スキャンを遂行するようにアンテナのセットのうちのアンテナの残りの部分を再構成するための処理、特徴、手段、または命令を含み得る。
【００１５】
[0015]上述された方法、装置、または非一時的コンピュータ可読媒体のいくつかの例はさらに、異なる無線周波数スペクトル帯域に関連付けられた輻輳メトリック（a congestion metric）がしきい値レベルを上回ることを決定するための処理、特徴、手段、または命令を含み得る。上述された方法、装置、または非一時的コンピュータ可読媒体のいくつかの例はさらに、第１のスキャンを遂行するようにアンテナのセットのうちの少なくとも１つのアンテナを再構成することを控えるための処理、特徴、手段、または命令を含み得る。
【００１６】
[0016]上述された方法、装置、または非一時的コンピュータ可読媒体のいくつかの例はさらに、第１のＲＡＴの無線周波数スペクトル帯域上でのある時間期間中の通信についての優先度メトリックを識別するための処理、特徴、手段、または命令を含み得る。上述された方法、装置、または非一時的コンピュータ可読媒体のいくつかの例はさらに、その時間期間中に第１および第２のスキャンを遂行するようにアンテナのセットのうちの、少なくとも１つのアンテナ、アンテナの残りの部分、またはそれらの組み合わせを再構成するための処理、特徴、手段、または命令を含み得る。
【００１７】
[0017]ワイヤレス通信の方法が説明される。方法は、第１の無線アクセス技術（ＲＡＴ）の無線周波数スペクトル帯域上でのある時間期間中の通信についての優先度メトリックを識別することと、第２のＲＡＴの無線周波数スペクトル帯域上でスキャンを遂行するようにアンテナのセットのうちの少なくとも１つのアンテナを優先度メトリックに少なくとも部分的に基づいて再構成することと、第２のＲＡＴの無線周波数スペクトル帯域上でその時間期間中にスキャンを遂行することとを含み得る。
【００１８】
[0018]ワイヤレス通信のための装置が説明される。装置は、第１の無線アクセス技術（ＲＡＴ）の無線周波数スペクトル帯域上でのある時間期間中の通信についての優先度メトリックを識別するための手段と、第２のＲＡＴの無線周波数スペクトル帯域上でスキャンを遂行するようにアンテナのセットのうちの少なくとも１つのアンテナを優先度メトリックに少なくとも部分的に基づいて再構成するための手段と、第２のＲＡＴの無線周波数スペクトル帯域上でその時間期間中にスキャンを遂行するための手段とを含み得る。
【００１９】
[0019]さらなる装置が説明される。装置は、プロセッサと、プロセッサと電子通信中のメモリと、メモリ中に記憶された命令とを含み得る。命令は、プロセッサに、第１の無線アクセス技術（ＲＡＴ）の無線周波数スペクトル帯域上でのある時間期間中の通信についての優先度メトリックを識別することと、第２のＲＡＴの無線周波数スペクトル帯域上でスキャンを遂行するようにアンテナのセットのうちの少なくとも１つのアンテナを優先度メトリックに少なくとも部分的に基づいて再構成することと、第２のＲＡＴの無線周波数スペクトル帯域上でその時間期間中にスキャンを遂行することとを行わせるように動作可能であり得る。
【００２０】
[0020]ワイヤレス通信のための非一時的コンピュータ可読媒体が説明される。非一時的コンピュータ可読媒体は、プロセッサに、第１の無線アクセス技術（ＲＡＴ）の無線周波数スペクトル帯域上でのある時間期間中の通信についての優先度メトリックを識別することと、第２のＲＡＴの無線周波数スペクトル帯域上でスキャンを遂行するようにアンテナのセットのうちの少なくとも１つのアンテナを優先度メトリックに基づいて再構成することと、第２のＲＡＴの無線周波数スペクトル帯域上でその時間期間中にスキャンを遂行することとを行わせるための命令を含み得る。
【００２１】
[0021]上述された方法、装置、または非一時的コンピュータ可読媒体のいくつかの例では、第２のＲＡＴの無線周波数スペクトル帯域上でスキャンを遂行することは、第１のＲＡＴ上でのその時間期間中の通信に干渉することを備える。上述された方法、装置、または非一時的コンピュータ可読媒体のいくつかの例では、スキャンは、デュアルアンテナチューンアウェイプロシージャを備える。
【００２２】
[0022]上述された方法、装置、または非一時的コンピュータ可読媒体のいくつかの例では、優先度メトリックは、その時間期間中の通信が少なくとも１つのブランクサブフレームを備えることを示し、第１のＲＡＴの無線周波数スペクトル帯域上での通信のその時間期間中の通信に干渉することを避けるために、第２のＲＡＴの無線周波数スペクトル帯域上で少なくとも１つのブランクサブフレーム中にスキャンを遂行することを備える。
【００２３】
[0023]ワイヤレス通信の方法が説明される。方法は、アンテナのセットを使用して第１の無線アクセス技術（ＲＡＴ）の無線周波数スペクトル帯域上で通信することと、アンテナのセットは、通信に関連付けられたランクモードに少なくとも部分的に基づき、通信に関連付けられた要求要件（a demand requirement）がしきい値レベルを下回ることをアンテナのセットのうちの少なくとも１つのアンテナについて決定することと、第２のＲＡＴの無線周波数スペクトル帯域上で通信を遂行するようにアンテナのセットのうちの少なくとも１つのアンテナを要求要件に少なくとも部分的に基づいて再構成することとを含み得る。
【００２４】
[0024]ワイヤレス通信のための装置が説明される。装置は、アンテナのセットを使用して第１の無線アクセス技術（ＲＡＴ）の無線周波数スペクトル帯域上で通信するための手段と、アンテナのセットは、通信に関連付けられたランクモードに少なくとも部分的に基づき、通信に関連付けられた要求要件がしきい値レベルを下回ることをアンテナのセットのうちの少なくとも１つのアンテナについて決定するための手段と、第２のＲＡＴの無線周波数スペクトル帯域上で通信を遂行するようにアンテナのセットのうちの少なくとも１つのアンテナを要求要件に少なくとも部分的に基づいて再構成するための手段とを含み得る。
【００２５】
[0025]さらなる装置が説明される。装置は、プロセッサと、プロセッサと電子通信中のメモリと、メモリ中に記憶された命令とを含み得る。命令は、プロセッサに、アンテナのセットを使用して第１の無線アクセス技術（ＲＡＴ）の無線周波数スペクトル帯域上で通信することと、アンテナのセットは、通信に関連付けられたランクモードに少なくとも部分的に基づき、通信に関連付けられた要求要件がしきい値レベルを下回ることをアンテナのセットのうちの少なくとも１つのアンテナについて決定することと、第２のＲＡＴの無線周波数スペクトル帯域上で通信を遂行するようにアンテナのセットのうちの少なくとも１つのアンテナを要求要件に少なくとも部分的に基づいて再構成することとを行わせるように動作可能であり得る。
【００２６】
[0026]ワイヤレス通信のための非一時的コンピュータ可読媒体が説明される。非一時的コンピュータ可読媒体は、プロセッサに、アンテナのセットを使用して第１の無線アクセス技術（ＲＡＴ）の無線周波数スペクトル帯域上で通信することと、アンテナのセットは、通信に関連付けられたランクモードに基づき、通信に関連付けられた要求要件がしきい値レベルを下回ることをアンテナのセットのうちの少なくとも１つのアンテナについて決定することと、第２のＲＡＴの無線周波数スペクトル帯域上で通信を遂行するようにアンテナのセットのうちの少なくとも１つのアンテナを要求要件に基づいて再構成することとを行わせるための命令を含み得る。
【００２７】
[0027]上述された方法、装置、または非一時的コンピュータ可読媒体のいくつかの例では、要求要件は、通信がしきい値レベルを下回るスループット要件に関連付けられることを示す。上述された方法、装置、または非一時的コンピュータ可読媒体のいくつかの例では、要求要件は、通信がしきい値を上回るチャネル条件パラメータに関連付けられることを示す。
【００２８】
[0028]上述された方法、装置、または非一時的コンピュータ可読媒体のいくつかの例では、要求要件は、通信が予め定義された変調およびコーディングスキームに関連付けられることを示す。上述された方法、装置、または非一時的コンピュータ可読媒体のいくつかの例はさらに、アンテナのセットのうちの少なくとも１つのアンテナが再構成されたというインジケーションを備えるメッセージをアクセスポイントに送信するための処理、特徴、手段、または命令を含み得る。
【００２９】
[0029]上述された方法、装置、または非一時的コンピュータ可読媒体のいくつかの例では、メッセージは、多入力／多出力（ＭＩＭＯ）省電力（ＰＳ）アクションフレームを備える。
【００３０】
[0030]上述された方法、装置、または非一時的コンピュータ可読媒体のいくつかの例はさらに、第１のＲＡＴの無線周波数スペクトル帯域上でのある時間期間中の通信についての優先度メトリックを識別するための処理、特徴、手段、または命令を含み得る。上述された方法、装置、または非一時的コンピュータ可読媒体のいくつかの例はさらに、第２のＲＡＴの無線周波数スペクトル帯域上で通信を遂行するようにアンテナのセットのうちの少なくとも１つのアンテナを再構成するための処理、特徴、手段、または命令を含み得る。
【００３１】
[0031]ワイヤレス通信の方法が説明される。方法は、第１の無線アクセス技術（ＲＡＴ）の無線周波数スペクトル帯域上での通信のために使用されるランクモード修正スケジュール（a rank mode modification schedule）に関連付けられたある時間期間を識別することと、第２のＲＡＴの無線周波数スペクトル帯域上でのバースト通信要件（a burst communication requirement）を識別することと、バースト通信要件は、ランクモード修正スケジュールに関連付けられたその時間期間より短い持続時間を備え、第２のＲＡＴの無線周波数スペクトル帯域上で持続時間中にバースト通信を遂行するようにアンテナのセットのうちの少なくとも１つのアンテナを、持続時間が時間的により短いことに少なくとも部分的に基づいて再構成することとを含み得る。
【００３２】
[0032]ワイヤレス通信のための装置が説明される。装置は、第１の無線アクセス技術（ＲＡＴ）の無線周波数スペクトル帯域上での通信のために使用されるランクモード修正スケジュールに関連付けられたある時間期間を識別するための手段と、第２のＲＡＴの無線周波数スペクトル帯域上でのバースト通信要件を識別するための手段と、バースト通信要件は、ランクモード修正スケジュールに関連付けられたその時間期間より短い持続時間を備え、第２のＲＡＴの無線周波数スペクトル帯域上で持続時間中にバースト通信を遂行するようにアンテナのセットのうちの少なくとも１つのアンテナを、持続時間が時間的により短いことに少なくとも部分的に基づいて再構成するための手段とを含み得る。
【００３３】
[0033]さらなる装置が説明される。装置は、プロセッサと、プロセッサと電子通信中のメモリと、メモリ中に記憶された命令とを含み得る。命令は、プロセッサに、第１の無線アクセス技術（ＲＡＴ）の無線周波数スペクトル帯域上での通信のために使用されるランクモード修正スケジュールに関連付けられたある時間期間を識別することと、第２のＲＡＴの無線周波数スペクトル帯域上でのバースト通信要件を識別することと、バースト通信要件は、ランクモード修正スケジュールに関連付けられたその時間期間より短い持続時間を備え、第２のＲＡＴの無線周波数スペクトル帯域上で持続時間中にバースト通信を遂行するようにアンテナのセットのうちの少なくとも１つのアンテナを、持続時間が時間的により短いことに少なくとも部分的に基づいて再構成することとを行わせるように動作可能であり得る。
【００３４】
[0034]ワイヤレス通信のための非一時的コンピュータ可読媒体が説明される。非一時的コンピュータ可読媒体は、プロセッサに、第１の無線アクセス技術（ＲＡＴ）の無線周波数スペクトル帯域上での通信のために使用されるランクモード修正スケジュールに関連付けられたある時間期間を識別することと、第２のＲＡＴの無線周波数スペクトル帯域上でのバースト通信要件を識別することと、バースト通信要件は、ランクモード修正スケジュールに関連付けられたその時間期間より短い持続時間を備え、第２のＲＡＴの無線周波数スペクトル帯域上で持続時間中にバースト通信を遂行するようにアンテナのセットのうちの少なくとも１つのアンテナを、持続時間が時間的により短いことに基づいて再構成することとを行わせるための命令を含み得る。
【００３５】
[0035]上述された方法、装置、または非一時的なコンピュータ可読媒体のいくつかの例では、バースト通信は、第２のＲＡＴの無線周波数スペクトル帯域上でのチャネル測定プロシージャを備える。上述された方法、装置、または非一時的コンピュータ可読媒体のいくつかの例はさらに、アンテナのセットのうちの少なくとも１つのアンテナが再構成されたことを示すメッセージを基地局に送信することを控えるための処理、特徴、手段、または命令を含み得る。
【００３６】
[0036]ワイヤレス通信の方法が説明される。方法は、第１の無線アクセス技術（ＲＡＴ）の無線周波数スペクトル帯域上での通信のためにアンテナのセットのうちの少なくとも１つのアンテナを構成することと、第２のＲＡＴの無線周波数スペクトル帯域上でスキャンを遂行することに関連付けられたスキャン要求（a scan request）を受信することと、第２のＲＡＴの無線周波数スペクトル帯域上でスキャンをスキャン要求に少なくとも部分的に基づいて遂行することと、スキャンに関連付けられたスキャン結果を示す出力を提供することとを含み得る。
【００３７】
[0037]ワイヤレス通信のための装置が説明される。装置は、第１の無線アクセス技術（ＲＡＴ）の無線周波数スペクトル帯域上での通信のためにアンテナのセットのうちの少なくとも１つのアンテナを構成するための手段と、第２のＲＡＴの無線周波数スペクトル帯域上でスキャンを遂行することに関連付けられたスキャン要求を受信するための手段と、第２のＲＡＴの無線周波数スペクトル帯域上でスキャンをスキャン要求に少なくとも部分的に基づいて遂行するための手段と、スキャンに関連付けられたスキャン結果を示す出力を提供するための手段とを含み得る。
【００３８】
[0038]さらなる装置が説明される。装置は、プロセッサと、プロセッサと電子通信中のメモリと、メモリ中に記憶された命令とを含み得る。命令は、プロセッサに、第１の無線アクセス技術（ＲＡＴ）の無線周波数スペクトル帯域上での通信のためにアンテナのセットのうちの少なくとも１つのアンテナを構成することと、第２のＲＡＴの無線周波数スペクトル帯域上でスキャンを遂行することに関連付けられたスキャン要求を受信することと、第２のＲＡＴの無線周波数スペクトル帯域上でスキャンをスキャン要求に少なくとも部分的に基づいて遂行することと、スキャンに関連付けられたスキャン結果を示す出力を提供することとを行わせるように動作可能であり得る。
【００３９】
[0039]ワイヤレス通信のための非一時的コンピュータ可読媒体が説明される。非一時的コンピュータ可読媒体は、プロセッサに、第１の無線アクセス技術（ＲＡＴ）の無線周波数スペクトル帯域上での通信のためにアンテナのセットのうちの少なくとも１つのアンテナを構成することと、第２のＲＡＴの無線周波数スペクトル帯域上でスキャンを遂行することに関連付けられたスキャン要求を受信することと、第２のＲＡＴの無線周波数スペクトル帯域上でスキャンをスキャン要求に基づいて遂行することと、スキャンに関連付けられたスキャン結果を示す出力を提供することとを行わせるための命令を含み得る。
【００４０】
[0040]上述された方法、装置、または非一時的コンピュータ可読媒体のいくつかの例はさらに、スキャン中に受信されたメッセージの少なくとも一部分を復号するための処理、特徴、手段、または命令を含み得る。上述された方法、装置、または非一時的コンピュータ可読媒体のいくつかの例はさらに、メッセージに関連付けられた情報をスキャン結果に含めるかどうかをメッセージの復号された一部分に基づいて決定するための処理、特徴、手段、または命令を含み得る。
【００４１】
[0041]上述された方法、装置、または非一時的コンピュータ可読媒体のいくつかの例はさらに、第１のＲＡＴの無線周波数スペクトル帯域上での通信に関連付けられたある時間期間の間の低減された通信要件を識別するための処理、特徴、手段、または命令を含み得る。上述された方法、装置、または非一時的コンピュータ可読媒体のいくつかの例はさらに、その時間期間中に遂行されるようにスキャンをスケジューリングするための処理、特徴、手段、または命令を含み得る。
【００４２】
[0042]上述された方法、装置、または非一時的コンピュータ可読媒体のいくつかの例では、その時間期間は、送信時間間隔の少なくとも一部分を備える。
【００４３】
[0043]前述は、以下の詳細な説明がより良く理解され得るように、本開示にしたがった例の特徴および技術的利点をどちらかといえば広く概説している。追加の特徴および利点が以下に説明されることになる。開示される概念および特定の例は、本開示と同じ目的を実行するために、他の構造を修正または設計するための基礎として容易に利用され得る。そのような等価な構造は、添付された特許請求の範囲から逸脱しない。ここに開示される概念の特性は、関連する利点とともに、それらの構成および動作の方法の両方に関して、添付の図面に関連して検討されたときに以下の説明からより良く理解されるであろう。図面の各々は、例示および説明のみを目的として提供され、特許請求の範囲の限定の定義としては提供されない。
【図面の簡単な説明】
【００４４】
【図１】本開示の態様にしたがった、無線周波数スペクトル帯域調和化をサポートするワイヤレス通信システムの例を例示する。
【図２】本開示の態様にしたがった、無線周波数スペクトル帯域調和化をサポートするワイヤレス通信システムにおけるプロセスフローの例を例示する。
【図３】本開示の態様にしたがった、無線周波数スペクトル帯域調和化をサポートするワイヤレス通信システムにおけるプロセスフローの例を例示する。
【図４】本開示の態様にしたがった、無線周波数スペクトル帯域調和化をサポートするワイヤレス通信システムにおけるプロセスフローの例を例示する。
【図５】本開示の態様にしたがった、無線周波数スペクトル帯域調和化をサポートするワイヤレス通信システムにおけるプロセスフローの例を例示する。
【図６】本開示の態様にしたがった、無線周波数スペクトル帯域調和化をサポートするワイヤレス通信システムにおけるプロセスフローの例を例示する。
【図７】本開示の態様にしたがった、無線周波数スペクトル帯域調和化をサポートするワイヤレスデバイスのブロック図を示す。
【図８】本開示の態様にしたがった、無線周波数スペクトル帯域調和化をサポートするワイヤレスデバイスのブロック図を示す。
【図９】本開示の態様にしたがった、無線周波数スペクトル帯域調和化をサポートするワイヤレスデバイスのブロック図を示す。
【図１０】本開示の様々な態様にしたがった、無線周波数スペクトル帯域調和化をサポートするＵＥを含むシステムのブロック図を例示する。
【図１１】本開示の態様にしたがった、無線周波数スペクトル帯域調和化のための方法を例示する。
【図１２】本開示の態様にしたがった、無線周波数スペクトル帯域調和化のための方法を例示する。
【図１３】本開示の態様にしたがった、無線周波数スペクトル帯域調和化のための方法を例示する。
【図１４】本開示の態様にしたがった、無線周波数スペクトル帯域調和化のための方法を例示する。
【図１５】本開示の態様にしたがった、無線周波数スペクトル帯域調和化のための方法を例示する。
【詳細な説明】
【００４５】
[0053]先進的なワイヤレス通信システムは、同じ無線周波数スペクトル帯域中での通信をサポートする異なる無線アクセス技術（ＲＡＴ）（例えば、ロングタームエボリューションアンライセンス（ＬＴＥ（登録商標）−Ｕ）、ライセンス支援アクセス（ＬＡＡ）、ワイヤレスフィデリィティ（Ｗｉ−Ｆｉ）、等）を使用することを含む。無線周波数スペクトル帯域の一例は、５ＧＨｚの無線周波数スペクトル帯域を含み得る。各ＲＡＴは、しかしながら、通信のために異なる構成、例えば、異なるタイミングプロトコル、異なる媒体アクセスプロシージャ、等を使用し得る。従来の共存技法は、しかしながら、無線周波数スペクトル帯域調和化のためのスマートな協調技法をサポートする柔軟性を提供しないことがあり得る。例えば、従来の技法は、共存の態様を管理するユーザ機器（ＵＥ）をサポートしないことがあり得る。
【００４６】
[0054]本開示の態様は初めに、ワイヤレス通信システムのコンテキストにおいて説明される。いくつかの例では、ＵＥ（あるいはＵＥの少なくとも１つのサブシステム、レイヤ、またはスタック）は、様々なＷＬＡＮ ＲＡＴ機能を依然としてサポートしながら、改善されたワイドエリアネットワーク（ＷＡＮ）ＲＡＴ性能、例えば、ＬＡＡ動作を提供するために、説明される技法を使用し得る。概括的に（Broadly）、説明される技法は、異なるＲＡＴ間で媒体（例えば、無線周波数スペクトル帯域）を効果的に使用する。説明される技法のいくつかの態様では、ＵＥは、効果的な媒体使用をサポートするために、動的スキャンチェーンモード、スマートスケジューリング技法、同時アクティブ状態における適応型リンク再構成、マイクロチューンアウェイプロシージャ、第２のＲＡＴの第１のＲＡＴ支援測定、等をサポートし得る。
【００４７】
[0055]図１は、本開示の様々な態様にしたがった、ワイヤレス通信システム１００の例を例示している。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−Ａｄｖａｎｃｅｄ（ＬＴＥ−Ａ）ネットワークであり得る。
【００４８】
[0056]基地局１０５は、少なくとも１つの基地局アンテナを介してＵＥ１１５とワイヤレスで通信し得る。各基地局１０５は、それぞれの地理的なカバレッジエリア１１０に対して通信カバレッジを提供し得る。ワイヤレス通信システム１００中に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体を通じて分散され、各ＵＥ１１５は、固定式または移動式であり得る。ＵＥ１１５はまた、モバイル局、加入者局、リモートユニット、ワイヤレスデバイス、アクセス端末（ＡＴ）、ハンドセット、ユーザエージェント、クライアント、または同様の専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ）デバイス、等であり得る。
【００４９】
[0057]基地局１０５は、コアネットワーク１３０と、および互いと通信し得る。例えば、基地局１０５は、バックホールリンク１３２（例えば、Ｓ１、等）を通じてコアネットワーク１３０とインターフェースし得る。基地局１０５は、直接的にまたは間接的に（例えば、コアネットワーク１３０を通じて）のいずれかで、バックホールリンク１３４（例えば、Ｘ２、等）を通して互いと通信し得る。基地局１０５は、ＵＥ１１５との通信のために無線構成およびスケジューリングを遂行し得るか、または基地局コントローラ（図示せず）の制御下で動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００５０】
[0058]ワイヤレス通信システム１００はまた、少なくとも１つのアクセスポイント（ＡＰ）１０６を含み得、それは、モバイル局、携帯情報端末（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタ、等）、プリンタ、等のようなＵＥ１１５と通信し得る。いくつかのケースでは、ＡＰ１０６は、ＷＬＡＮのコンポーネントであり得、それは、ワイヤレス通信システム１００のワイヤレスＷＡＮ（ＷＷＡＮ）に関連付けられた信頼されるＷＬＡＮであり得る。ＡＰ１０６および関連するＵＥ１１５は、基本サービスセット（ＢＳＳ）または拡張サービスセット（ＥＳＳ）を表わし得る。ネットワーク中の様々なＵＥ１１５は、ＡＰ１０６を通じて互いと通信することが可能である。また示されるのは、ＡＰ１０６のカバレッジエリア１１０であり、それは、ワイヤレス通信システム１００の基本サービスエリア（ＢＳＡ）を表わし得る。ワイヤレス通信システム１００に関連付けられた拡張ネットワーク局（図示せず）は、複数のＡＰ１０６がＥＳＳにおいて接続されることを可能にし得るワイヤードまたはワイヤレス配信システム（a wired or wireless distribution system）に接続され得る。
【００５１】
[0059]図１中には示されていないが、ＵＥ１１５は、１つよりも多くのカバレッジエリア１１０の交差部中にロケートされ、１つよりも多くの基地局１０５またはＡＰ１０６に関連付け得る。単一のＡＰ１０６およびＵＥ１１５の関連するセットは、ＢＳＳと呼ばれ得る。。ＥＳＳは、接続されたＢＳＳのセットであることができる。配信システム（図示せず）は、ＥＳＳにおいてＡＰ１０６を接続するために使用され得る。いくつかのケースでは、ＡＰ１０６のカバレッジエリア１１０は、複数のセクタに分割され得る（これもまた図示せず）。ワイヤレス通信システム１００は、異なるタイプ（例えば、メトロポリタンエリア、ホームネットワーク、等）のＡＰ１０６を、変動および重複するカバレッジエリア１１０とともに、含み得る。２つのＵＥ１１５はまた、両方のＵＥ１１５が同じカバレッジエリア１１０中にあるかどうかにかかわらず、ダイレクトワイヤレスリンク１２５を介して直接通信し得る。ダイレクトワイヤレスリンク１２０の例は、Ｗｉ−Ｆｉ Ｄｉｒｅｃｔ接続、Ｗｉ−Ｆｉ Ｔｕｎｎｅｌｅｄ Ｄｉｒｅｃｔ Ｌｉｎｋ Ｓｅｔｕｐ（ＴＤＬＳ）リンク、および他のグループ接続を含み得る。ＵＥ１１５およびＡＰ１０６は、ＩＥＥＥ８０２．１１、および８０２．１１ｂ、８０２．１１ｇ、８０２．１１ａ、８０２．１１ｎ、８０２．１１ａｃ、８０２．１１ａｄ、８０２．１１ａｈ、等を含むが、それらに限定されないバージョンからの物理およびＭＡＣレイヤについてのＷＬＡＮ無線およびベースバンドプロトコルにしたがって通信し得る。他のインプリメンテーションでは、ピアツーピア接続またはアドホックネットワークが、ワイヤレス通信システム１００内でインプリメントされ得る。
【００５２】
[0060]いくつかのケースでは、ＵＥ１１５、ＡＰ１０６、または基地局１０５は、共有またはアンライセンス周波数スペクトル中で動作し得る。これらのデバイスは、チャネルが利用可能であるかどうかを決定するために、通信するより前にクリアチャネル評価（ＣＣＡ）を遂行し得る。ＣＣＡは、任意の他のアクティブな送信が存在するかどうかを決定するためのエネルギー検出プロシージャを含み得る。例えば、デバイスは、電力メータの受信信号強度インジケータ（ＲＳＳＩ）における変化が、チャネルが占有されていることを示すと推測し得る。具体的には、ある特定の帯域幅中に集中され、所定のノイズフロアを超過する信号電力は、別のワイヤレス送信機を示し得る。ＣＣＡはまた、チャネルの使用を示す特定のシーケンスの検出を含み得る。例えば、別のデバイスは、データシーケンスを送信するより前に、特定のプリアンブルを送信し得る。
【００５３】
[0061]いくつかのケースでは、ワイヤレス通信システム１００は、少なくとも１つの拡張コンポーネントキャリア（ｅＣＣ）を利用し得る。ｅＣＣは、柔軟な帯域幅、異なる送信時間間隔（ＴＴＩ）、および修正された制御チャネル構成を含む少なくとも１つの特徴によって特徴付けられ得る。いくつかのケースでは、ｅＣＣは、（例えば、複数のサービングセルが準最適バックホールリンクを有するとき）デュアルコネクティビティ構成またはキャリアアグリゲーション（ＣＡ）構成に関連付けられ得る。ｅＣＣはまた、（例えば、１人より多くのオペレータがスペクトルを使用することをライセンスされている）共有スペクトルまたはアンライセンススペクトルにおいて使用するために構成され得る。
【００５４】
[0062]柔軟な帯域幅によって特徴付けられるｅＣＣは、（例えば、電力を節約するために）限定された帯域幅を使用することを好むか、または帯域幅全体をモニタすることが可能でないＵＥ１１５によって利用され得る少なくとも１つのセグメントを含み得る。いくつかのケースでは、ｅＣＣは、他のコンポーネントキャリア（ＣＣ）とは異なるＴＴＩ長を利用し得、それは、他のＣＣのＴＴＩと比較すると、低減されたまたは可変のシンボル持続時間の使用を含み得る。シンボル持続時間は、いくつかのケースでは、同じままであり得るが、各シンボルは、別個のＴＴＩを表し得る。いくつかの例では、ｅＣＣは、異なるＴＴＩ長を使用する送信をサポートし得る。例えば、ＣＣの中には均一な１ｍｓのＴＴＩを使用するものがあり得るのに対して、ｅＣＣは、単一のシンボル、一対のシンボル、またはスロットのＴＴＩ長を使用し得る。いくつかのケースでは、より短いシンボル持続時間がまた、増大されたサブキャリア間隔に関連付けられ得る。低減されたＴＴＩ長と併せて、ｅＣＣは、動的時間分割複信（ＴＤＤ）動作を利用し得る（すなわち、それは、動的条件にしたがって、短いバーストのためにＤＬ動作からＵＬ動作に切り替わり得る）。
【００５５】
[0063]柔軟な帯域幅および可変のＴＴＩは、修正された制御チャネル構成に関連付けられ得る（例えば、ｅＣＣは、ＤＬ制御情報のために拡張物理ダウンリンク制御チャネル（ｅＰＤＣＣＨ）を利用し得る）。例えば、ｅＣＣの少なくとも１つの制御チャネルは、柔軟な帯域幅使用に対応する（accommodate）ために、周波数分割多重化（ＦＤＭ）スケジューリングを利用し得る。他の制御チャネルの修正は、異なる間隔で送信される制御チャネル、または（例えば、可変長のＵＬおよびＤＬバーストの長さを示すための、または発展型マルチメディアブロードキャストマルチキャストサービス（ｅＭＢＭＳ）スケジューリングのための）追加の制御チャネルの使用を含む。ｅＣＣはまた、修正されたまたは追加のハイブリッド自動再送要求（ＨＡＲＱ）関連制御情報を含み得る。
【００５６】
[0064]ＵＥ１１５は、例えば、多入力多出力（ＭＩＭＯ）、多地点協調（ＣｏＭＰ）、または他のスキームを通じて複数の発展型ノードＢ（ｅＮＢ）１０５と協調的に通信し得る。多入力多出力（ＭＩＭＯ）技法は、複数のデータストリームを送信すべくマルチパス環境を活用するために、基地局上で複数のアンテナを、またはＵＥ上で複数のアンテナを使用する。ＣｏＭＰは、ＵＥについての全体的な送信品質を改善し、ならびにネットワークおよびスペクトル利用を増大させるための、いくつかのｅＮＢによる送信および受信の動的協調のための技法を含む。
【００５７】
[0065]いくつかの態様では、ＵＥ１１５は、動的スキャンチェーンモードをサポートし得る。ＵＥ１１５は、複数のアンテナを使用して第１のＲＡＴ（例えば、ＷＡＮ ＲＡＴ）における無線周波数スペクトル帯域上で通信していることがあり得る。ＵＥ１１５は、１つのアンテナを第２のＲＡＴ（例えば、ＷＬＡＮ ＲＡＴ）に再構成し、第２のＲＡＴの無線周波数スペクトル帯域上でスキャンを遂行し得る。実例的なスキャンは、コネクティビティ指向スキャン、ロケーション指向スキャン、ホットリストスキャン、デュアルバンド同時（ＤＢＳ：dual-band simultaneous）スキャン、優先度スキャン、および同様のものを含み得るが、それらに限定されない。スキャン結果に基づいて、ＵＥ１１５は、第２のＲＡＴの無線周波数スペクトル帯域上でスキャンを遂行するように追加のアンテナを再構成するかどうかを決定し得る。いくつかの例では、第１のスキャンが成功した場合、ＵＥは、追加のアンテナ（１つ以上）を再構成することを控え得る。
【００５８】
[0066]いくつかの態様では、ＵＥ１１５は、スマートスケジューリング技法を用い得る。ＵＥ１１５は、複数のアンテナを使用して第１のＲＡＴ（例えば、ＷＡＮ ＲＡＴ）における無線周波数スペクトル帯域上で通信していることがあり得る。ＵＥ１１５は、第１のＲＡＴ通信のためのある時間期間中、例えば、少なくとも１つのサブフレーム中に優先度メトリックを決定し得る。優先度メトリックは、第１のＲＡＴ通信が、高優先度であるか、または低優先度であるか、フレームのサブフレームの一部分のみについてスケジュールされるかどうか、等を示し得る。それ故に、ＵＥ１１５は、その時間期間中に第２のＲＡＴの無線周波数スペクトル帯域上でスキャンを遂行（または通信を遂行）し得る。いくつかの例では、その時間期間中の第２のＲＡＴのスキャンは、ＵＥ１１５が第２のＲＡＴの無線周波数スペクトル帯域上で送信するアクティブスキャンを含み得る。その送信は、例えば、第１のＲＡＴ通信が高優先度であるときに、第１のＲＡＴの無線周波数スペクトル帯域上での通信と衝突することを避けるようにスケジューリングされ得る。その送信は、例えば、第１のＲＡＴ通信が低優先度であり、干渉に適しているときに、第１のＲＡＴの無線周波数スペクトル帯域上での通信に重複するようにスケジューリングされ得る。
【００５９】
[0067]いくつかの態様では、ＵＥ１１５は、同時アクティブ状態における適応型リンク再構成をサポートし得る。例えば、ＵＥ１１５は、ランクモードを使用して第１のＲＡＴ（例えば、ＷＬＡＮ ＲＡＴ）の無線周波数スペクトル帯域上で通信していることがあり得る。ランクモードは、ＵＥのアンテナの全てを使用する第１のＲＡＴ通信のためのフルランクモードを含み得る。ＵＥ１１５は、例えば、第１のＲＡＴ通信についての変調およびコーディングスキーム（ＭＣＳ）、リンク信号強度／品質、等に基づいて、第１のＲＡＴ通信についての要求要件、例えば、各リンクについてのスループット要件が第１のＲＡＴ通信について超過されるかどうかを決定し得る。第１のＲＡＴ通信が現在のランクモードを要求しないとき、ＵＥ１１５は、そのランクモードを低減し、第２のＲＡＴの無線周波数スペクトル帯域上での通信のために少なくとも１つのアンテナを再構成し得る。このことから、ＵＥ１１５は、第１のＲＡＴおよび第２のＲＡＴの無線周波数スペクトル帯域上での同時アクティブ状態通信をサポートし得る。いくつかの態様では、ＵＥ１１５は、他のＲＡＴ通信との干渉を避けるために、１つのＲＡＴ通信に対するスマート送信スケジューリングをサポートし得る。
【００６０】
[0068]いくつかの態様では、ＵＥ１１５は、第１のＲＡＴマイクロチューンアウェイプロシージャをサポートし得る。例えば、ＵＥ１１５は、ランクモードを使用して第１のＲＡＴを使用する無線周波数スペクトル帯域上で通信していることがあり得る。ランクモードは、ＵＥ１１５が現在のランクモードに変更要求をシグナリングすることができる、関連するランクモード修正スケジュールを有し得る。ＵＥ１１５は、第２のＲＡＴの無線周波数スペクトル帯域上でのバースト通信要件を識別し得る。バースト通信要件は、ランクモード修正スケジュールの周期性より短い持続時間を有し得る。このことから、ＵＥ１１５は、第２のＲＡＴの無線周波数スペクトル帯域上でのバースト通信をサポートするように少なくとも１つのアンテナを再構成し得る。ＵＥ１１５は、再構成についてそのサービング基地局１０５に知らせることなしにアンテナを再構成し得る。このことから、ＵＥ１１５は、無線周波数スペクトル帯域上での第１のＲＡＴ通信を中断または再構成することなしに、第２のＲＡＴの無線周波数スペクトル帯域上でのバースト通信をサポートし得る。
【００６１】
[0069]いくつかの態様では、ＵＥ１１５は、第２のＲＡＴの第１のＲＡＴ支援測定をサポートし得る。例えば、ＵＥ１１５は、第１のＲＡＴを使用する無線周波数スペクトル帯域上で通信していることがあり得る。ＵＥ１１５は、第２のＲＡＴの無線周波数スペクトル帯域上でスキャンを遂行することに関連付けられたスキャン要求を受信または識別し得る。スキャン要求は、第２のＲＡＴ通信の態様を管理するＵＥ１１５のサブシステムから受信され得る。ＵＥ１１５は、第２のＲＡＴの無線周波数スペクトル帯域上でスキャンを遂行し、スキャン結果を示す出力を提供し得る。例えば、ＵＥ１１５の第１のＲＡＴサブシステムは、ＵＥ１１５の第２のＲＡＴサブシステムに出力を提供し得る。
【００６２】
[0070]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態は、ここに論述される概念のうちのいずれかまたは全てを参照して説明される様々な態様にしたがって、または図１〜１５のうちのいずれかまたは全てに基づいて、企図される。
【００６３】
[0071]図２は、本開示の様々な態様にしたがった、無線周波数スペクトル帯域調和化をサポートするワイヤレス通信システム中のプロセスフロー２００を示している。プロセスフロー２００は、ＵＥ１１５−ａを含み得、それは、図１を参照して説明された対応するデバイスの例であり得る。プロセスフロー２００は、ＷＡＮ２０５およびＷＬＡＮ２１０を含み得、それらは、それぞれ、図１を参照して説明されたような基地局１０５およびアクセスポイントの例であり得る。概して、プロセスフロー２００は、異なるＲＡＴの無線周波数スペクトル帯域上での共存をサポートするために動的スキャンチェーンモードを用いるＵＥ１１５−ａの例を例示している。ある特定の態様では、プロセスフロー２００は、シングルアンテナチューンアウェイ（ＳＡＴＡ：a single antenna tune-away）プロシージャを使用してＷＬＡＮスキャンを開始し、スキャン結果に依存して、デュアルアンテナチューンアウェイ（ＤＡＴＡ：a dual antenna tune-away）プロシージャを使用して無線周波数スペクトル帯域をスキャンするかどうかを決定するＵＥ１１５−ａの例を例示している。
【００６４】
[0072]プロセスフロー２００の例では、ＵＥ１１５−ａは、２つのアンテナ（例えば、第１のアンテナおよび第２のアンテナ）を有するものとして示され、説明される。ＵＥ１１５−ａが、２つよりも多くのアンテナを含み得ることが理解されるべきである。ＷＡＮ２０５が、第１のＲＡＴの無線周波数スペクトル帯域上での通信をサポートするワイヤレス通信システムの態様を例示し得ることもまた理解されるべきである。いくつかの例では、ＷＡＮ２０５は、ＬＴＥ−Ｕ ＲＡＴ、ＬＡＡ ＲＡＴ、等上での通信をサポートし得る。ＷＡＮ２０５は、基地局として、セルとして、等でインプリメントされ得る。ＷＬＡＮ２１０が、第２のＲＡＴの無線周波数スペクトル帯域上での通信をサポートするワイヤレス通信システムの態様を例示し得ることもまた理解されるべきである。いくつかの例では、ＷＬＡＮ２１０は、Ｗｉ−Ｆｉ ＲＡＴ、等上での通信をサポートし得る。ＷＬＡＮ２１０は、アクセスポイントとして、等でインプリメントされ得る。
【００６５】
[0073]２１５において、ＵＥ１１５−ａは、第１のＲＡＴを用いて無線周波数スペクトル帯域上で通信中であり得る。第１のＲＡＴは、ＷＡＮ ＲＡＴ、例えば、ＬＴＥ−Ｕ、ＬＡＡ、等、ＲＡＴであり、ＵＥ１１５−ａは、ＷＡＮ２０５と通信中であり得る。ＵＥ１１５−ａは、アンテナのセット、例えば、第１および第２のアンテナを使用してＷＡＮ２０５と無線周波数スペクトル帯域上で通信していることがあり得る。いくつかの態様では、ＵＥ１１５−ａは、ＵＥ１１５−ａの全てのアンテナがＷＡＮ ＲＡＴ通信のためのものであるフルランクモードを使用してＷＡＮ ＲＡＴの無線周波数スペクトル帯域上でＷＡＮ２０５と通信し得る。
【００６６】
[0074]２２０において、ＵＥ１１５−ａは、第２のＲＡＴの無線周波数スペクトル帯域上でスキャンを遂行するように第１のアンテナを再構成し得る。第２のＲＡＴは、ＷＬＡＮ ＲＡＴ、例えば、Ｗｉ−Ｆｉ ＲＡＴであり、ＵＥ１１５−ａは、ＷＬＡＮ２１０をスキャンすることによって第２のＲＡＴの無線周波数スペクトル帯域をスキャンし得る。第１のアンテナを再構成することは、第１のアンテナに関連付けられたアンテナまたはトランシーバチェーンを第２のＲＡＴの無線周波数スペクトル帯域の異なる周波数に再チューニングすることを含み得る。加えてまたは代替として、第１のアンテナを再構成することは、第２のＲＡＴの無線周波数スペクトル帯域上での通信のために、タイミングコンポーネント、フレームアラインメントコンポーネント、送信モード、等を変更することを含み得る。
【００６７】
[0075]２２５において、ＵＥ１１５−ａは、第２のＲＡＴの無線周波数スペクトル帯域上でスキャンを遂行するために第１のアンテナ（例えば、再構成されたアンテナ）を使用し得る。例えば、ＵＥ１１５−ａは、ＷＬＡＮ２１０をスキャンするために第１のアンテナを使用し得る。第２のＲＡＴの無線周波数スペクトル帯域の様々なスキャンが、本開示で企図されることが理解されるべきある。いくつかの例では、スキャンは、コネクティビティ指向スキャン、例えば、ローミングスキャン、好ましいネットワークオペレータスキャン、等であり得る。別の例では、スキャンは、例えば、特定のアクセスポイントをロケートするための、トレイルを確立するための、等のロケーション指向スキャンであり得る。別の例では、スキャンは、ホットリストスキャン、例えば、ある特定のアクセスポイントを識別することを試みるためのスキャンであり得る。別の例では、スキャンは、単一のアンテナがスキャンのために選択されるＤＢＳスキャンであり得る。別の例では、スキャンは、優先度スキャン、例えば、ＤＢＳスキャンをトリガするための緊急スキャンであり得る。別の例では、スキャンは、スマートローミングスキャン、例えば、ＵＥ１１５−ａが２ＧＨｚのアクセスポイントに留まっている間に、通信のために利用可能な５ＧＨｚのアクセスポイントを識別するためのスキャンであり得る。
【００６８】
[0076]２３０において、ＵＥ１１５−ａは、第１のスキャンのスキャン結果を決定し得る。いくつかの態様では、スキャン結果を決定することは、第１のスキャンに基づいて決定された様々な構成可能なパラメータを識別することを含み得る。第１の構成可能なパラメータは、第１のスキャン中に発見されたアクセスポイントの数を示すアクセスポイントカウント値を含み得る。第２の構成可能なパラメータは、第２のＲＡＴの無線周波数スペクトル帯域の受信信号強度、干渉レベル、等を示すチャネル条件メトリックを含み得る。第３の構成可能なパラメータは、特定の無線周波数スペクトル帯域中のいくつのチャネルがスキャンされるべきかを示すチャネルスキャン分布値を含み得る。他の構成可能なパラメータもまた考えられ得る。
【００６９】
[0077]スキャン結果を決定することは、ＵＥ１１５−ａが第２のＲＡＴの無線周波数スペクトル帯域上での第２のスキャンのために第２のアンテナを再構成することになるかどうかのインジケーションを提供し得る。その決定は、スキャンのタイプおよび関連する構成可能なパラメータに基づき得る。
【００７０】
[0078]実例的なコネクティビティ指向スキャンでは、その決定は、発見されたアクセスポイントの数（例えば、アクセスポイントカウント値）が受信信号強度インジケータ（ＲＳＳＩ）、チャネル品質インジケータ（ＣＱＩ）、等（例えば、チャネル条件メトリック）より大きいかどうかに基づき得る。アクセスポイントカウント値がチャネル条件メトリックより大きい場合、ＵＥ１１５−ａは、第１のスキャンは成功だったと決定し、したがって、第２のスキャンを遂行するように第２のアンテナ（例えば、残りのアンテナ）を構成することを控え得る。アクセスポイントカウント値がチャネル条件メトリックを下回るかまたはより低いとき、ＵＥ１１５−ａは、第１のスキャンは不成功だったと考え、したがって、第２のＲＡＴの無線周波数スペクトル帯域上で第２のスキャンを遂行するように第２のアンテナを再構成し得る。
【００７１】
[0079]実例的なロケーション指向スキャンでは、その決定は、発見されたアクセスポイントの数（例えば、アクセスポイントカウント値）がしきい値より大きいか、例えば、ＵＥ１１５−ａのロケーション機能をサポートするのに十分な数のアクセスポイントが発見されたかどうかに基づき得る。アクセスポイントカウント値がしきい値より大きい場合、ＵＥ１１５−ａは、第１のスキャンは成功だったと決定し、したがって、第２のスキャンを遂行するように第２のアンテナ（例えば、残りのアンテナ）を構成することを控え得る。アクセスポイントカウント値がしきい値を下回るかまたはより低いとき、ＵＥ１１５−ａは、第１のスキャンが不成功だったと考え、したがって、第２のＲＡＴの無線周波数スペクトル帯域上で第２のスキャンを遂行するように第２のアンテナを再構成し得る。
【００７２】
[0080]実例的なホットリストスキャンでは、その決定は、アクセスポイントのセットからの少なくとも１つのアクセスポイント、例えば、好ましいアクセスポイントが発見されたかどうかに基づき得る。ホットリストアクセスポイントのうちの少なくとも１つが見出された場合、ＵＥ１１５−ａは、第１のスキャンは成功だったと決定し、したがって、第２のスキャンを遂行するように第２のアンテナ（例えば、残りのアンテナ）を構成することを控え得る。ホットリストアクセスポイントのいずれも第１のスキャン中に発見されない場合、ＵＥ１１５−ａは、第１のスキャンは不成功だったと考え、したがって、第２のＲＡＴの無線周波数スペクトル帯域上で第２のスキャンを遂行するように第２のアンテナを再構成し得る。
【００７３】
[0081]実例的なＤＢＳスキャンでは、その決定は、チャネルスキャン分布値が予め定義されたしきい値とともにあるかどうかに基づき得る。ＤＢＳスキャンは、異なる無線周波数スペクトル帯域上で複数のチャネルをスキャンすることを含み得る。ＤＢＳスキャンリストは、第１の無線周波数スペクトル帯域のためのチャネルの第１のセット、第２の無線周波数スペクトル帯域のためのチャネルの第２のセット、等を含み得る。偏差値は、異なる無線周波数スペクトル帯域に割り当てられたチャネルの数に関連付けられ得る。チャネルスキャン分布値が予め定義された偏差値内（例えば、４０／６０または６０／４０内）にある場合、ＵＥ１１５−ａは、第２のＲＡＴの無線周波数スペクトル帯域上で第１のスキャンを遂行するように第１のアンテナを構成し得る。チャネルスキャン分布値が予め定義された偏差値の外にある場合、ＵＥ１１５−ａは、第２のスキャンを遂行するように第２のアンテナ（例えば、残りのアンテナ）を再構成し得る。
【００７４】
[0082]実例的な優先度スキャンでは、その決定は、第１のスキャンが優先度スキャンであるというインジケーションに基づき得る。この例では、ＵＥ１１５−ａは、第２のＲＡＴの無線周波数スペクトル帯域上でスキャンを遂行するように第２のアンテナを再構成し得る。
【００７５】
[0083]実例的なスマートローミングスキャンでは、スキャンは、異なる無線周波数スペクトル帯域に関連付けられた輻輳メトリックがしきい値を上回って超えるまで延期され得る。実例的なスマートローミングスキャンは、より良好な接続が利用可能であるかどうかを決定するためにＵＥ１１５−ａが５ＧＨｚの帯域上でスキャンを遂行し得る２ＧＨｚの無線周波数スペクトル帯域に留まるＵＥ１１５−ａを含み得る。いくつかの態様では、５ＧＨｚの無線周波数スペクトル帯域上でのスキャン、例えば、第１のスキャンは、２ＧＨｚの無線周波数スペクトル帯域上での接続がしきい値を下回って劣化するまで延期され得る。例えば、２ＧＨｚの無線周波数スペクトル帯域上での輻輳メトリックは、しきい値より大きくなり、２ＧＨｚ上のスループットは、しきい値を下回って下がる、等であり得る。２ＧＨｚの接続がしきい値を下回って劣化すると、ＵＥ１１５−ａは、第１のスキャンを遂行するように第１のアンテナを再構成し得る。ＵＥ１１５−ａは、上述された例に基づいて、第２のＲＡＴの無線周波数スペクトル帯域上で第２のスキャンを遂行するように第２のアンテナを再構成し得る。上述された輻輳メトリックに加えて、スマートローミングスキャンは、２ＧＨｚのリンクの他の検討事項（other considerations）、例えば、２ＧＨｚのリンクの通信のスループットに基づいて、２ＧＨｚのリンクのチャネル条件に基づいて（例えば、ＲＳＳＩ、ＳＮＲ、等）、２ＧＨｚのリンクのＭＣＳに基づいて、等で延期され得る。例えば、２ＧＨｚのリンクについての高ＭＣＳは、ＵＥ１１５−ａが第２のＲＡＴの無線周波数スペクトル帯域をスキャンするように第１および／または第２のアンテナを再構成し得るというインジケーションを提供し得る。
【００７６】
[0084]いくつかの例では、ＵＥ１１５−ａは、上述されたスキャン技法のうちの任意のものの間にスマートスケジューリング技法を利用し得る。例えば、ＵＥ１１５−ａは、第１のＲＡＴの無線周波数スペクトル帯域上でのある時間期間中の通信についての優先度メトリックを識別し、その時間期間中にスキャンを遂行するように第１のアンテナおよび／または第２のアンテナを再構成し得る。スマートスケジューリングは、例えば、第１のＲＡＴ信号が受信されるようにスケジューリングされるサブフレーム中に第２のＲＡＴ送信を避けることを含み得る。別の例では、スマートスケジューリングは、例えば、低優先度の第１のＲＡＴ信号が受信されるようにスケジューリングされるサブフレーム中に重複する第２のＲＡＴ送信を含み得る。
【００７７】
[0085]２３５において、ＵＥ１１５−ａは、第２のＲＡＴ、例えば、ＷＬＡＮ２１０の無線周波数スペクトル帯域上で第２のスキャンを遂行するように第２のアンテナを再構成し得る。例えば、ＵＥ１１５−ａは、上述されたように、第１のスキャンの結果に基づいて第２のアンテナを再構成し得る。第１のスキャンのスキャン結果が、ＤＡＴＡプロシージャが必要とされることを示すとき、２４０および２４５において、ＵＥ１１５−ａは、それぞれ、第１のアンテナおよび第２のアンテナを使用して第２のＲＡＴの無線周波数スペクトル帯域の第２のスキャンを遂行し得る。
【００７８】
[0086]第１のスキャンのために２つのアンテナというよりはむしろ単一のアンテナを初めに使用することは、異なる環境において異なる結果を提供し得ることが理解されるべきである。例えば、ＳＡＴＡプロシージャは、ＵＥ１１５−ａが第２のＲＡＴの無線周波数スペクトル帯域のためにアンテナダイバーシティを活用することを許可しないことがあり得る。しかしながら、第１のスキャンのために単一のアンテナを使用することは、第２のＲＡＴの無線周波数スペクトル帯域上での第２のスキャンのために第２のアンテナを使用する必要性を緩和するのに適した結果が提供され得る、例えば、十分な数のアクセスポイントが発見される。したがって、ＵＥ１１５−ａは、第１および第２のＲＡＴの無線周波数スペクトル帯域上での通信のための共存技法をサポートし得る。
【００７９】
[0087]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【００８０】
[0088]図３は、本開示の様々な態様にしたがった、無線周波数スペクトル帯域調和化をサポートするワイヤレス通信システム中のプロセスフロー３００を示している。プロセスフロー３００は、ＵＥ１１５−ｂを含み得、それは、図１または２を参照して説明された対応するデバイスの例であり得る。プロセスフロー３００は、ＷＡＮ３０５およびＷＬＡＮ３１０を含み得、それらは、それぞれ、図１を参照して説明されたような基地局１０５およびアクセスポイントの例であり得る。ＷＡＮ３０５およびＷＬＡＮ３１０はまた、それぞれ、図２を参照して説明されたようなＷＡＮ２０５およびＷＬＡＮ２１０の例であり得る。概して、プロセスフロー３００は、異なるＲＡＴの無線周波数スペクトル帯域上での共存をサポートするためにスマートスケジューリング技法を用いるＵＥ１１５−ｂの例を例示している。
【００８１】
[0089]プロセスフロー３００の例では、ＵＥ１１５−ｂは、２つのアンテナ（例えば、第１のアンテナおよび第２のアンテナ）を有するものとして示され、説明される。ＵＥ１１５−ｂが、２つよりも多くのアンテナを含み得ることが理解されるべきである。ＷＡＮ３０５が、第１のＲＡＴの無線周波数スペクトル帯域上での通信をサポートするワイヤレス通信システムの態様を例示し得ることもまた理解されるべきである。いくつかの例では、ＷＡＮ３０５は、ＬＴＥ−Ｕ ＲＡＴ、ＬＡＡ ＲＡＴ、等上での通信をサポートし得る。ＷＡＮ３０５は、基地局として、セルとして、等でインプリメントされ得る。ＷＬＡＮ３１０が、第２のＲＡＴの無線周波数スペクトル帯域上での通信をサポートするワイヤレス通信システムの態様を例示し得ることもまた理解されるべきである。いくつかの例では、ＷＬＡＮ３１０は、Ｗｉ−Ｆｉ ＲＡＴ、等上での通信をサポートし得る。ＷＬＡＮ３１０は、アクセスポイントとして、等でインプリメントされ得る。
【００８２】
[0090]３１５において、ＵＥ１１５−ｂは、第１のＲＡＴを用いて無線周波数スペクトル帯域上で通信中であり得る。第１のＲＡＴは、ＷＡＮ ＲＡＴ、例えば、ＬＴＥ−Ｕ、ＬＡＡ、等、ＲＡＴであり、ＵＥ１１５−ｂは、ＷＡＮ３０５と通信中であり得る。ＵＥ１１５−ｂは、アンテナのセット、例えば、第１および第２のアンテナを使用してＷＡＮ３０５と無線周波数スペクトル帯域上で通信していることがあり得る。いくつかの態様では、ＵＥ１１５−ｂは、ＵＥ１１５−ａの全てのアンテナがＷＡＮ ＲＡＴ通信のためのものであるフルランクモードを使用してＷＡＮ ＲＡＴの無線周波数スペクトル帯域上でＷＡＮ３０５と通信していることがあり得る。
【００８３】
[0091]３２０において、ＵＥ１１５−ｂは、第１のＲＡＴの無線周波数スペクトル帯域上でのある時間期間中の通信に関連付けられた優先度メトリックを決定し得る。優先度メトリックは、第１のＲＡＴの無線周波数スペクトル帯域上でのその時間期間中の通信についての優先度レベル、例えば、低優先度または高優先度通信に関連付けられ得る。優先度メトリックは、第１のＲＡＴの無線周波数スペクトル帯域上でのその時間期間中の通信に関連付けられたスケジューリング優先度に関連付けられ得る。例えば、優先度メトリックは、第１のＲＡＴ通信のタイミングのインジケーションを提供し得る。別の例では、優先度メトリックは、第１のＲＡＴ通信がその時間期間（例えば、ブランクサブフレーム）中にスケジューリングされるかどうかのインジケーションを提供し得る。いくつかの態様では、優先度メトリックは、サブフレームタイミングパラメータ、フレームタイミングパラメータ、等に関連付けられ得る。優先度メトリックは、第１のＲＡＴの無線周波数スペクトル帯域上での通信についての送信時間間隔（ＴＴＩ）に関連付けられ得る。
【００８４】
[0092]優先度メトリックは、ＵＥ１１５−ｂが第２のＲＡＴの無線周波数スペクトル帯域上でスキャン（または他の通信）を遂行するように第１のアンテナおよび／または第２のアンテナを再構成し得るかどうかのインジケーションを提供し得る。例えば、第２のＲＡＴの無線周波数スペクトル帯域上での、ＷＬＡＮ送信を含むアクティブスキャンが所望されるか、またはパッシブスキャンが所望されるかにかかわらず、優先度メトリックは、ＷＡＮ通信に基づいてＷＬＡＮスキャンのタイミングを調整するために使用され得る。
【００８５】
[0093]スマートスケジューリング技法のいくつかの例では、重複する通信がサポートされ得る。例えば、優先度メトリックは、低優先度ＷＡＮ通信が１つのサブフレームについてスケジューリングされることを示し得る。優先度メトリックは、ＵＥ１１５−ｂが、ＷＡＮ通信と重複する（例えば、それに干渉する）第２のＲＡＴの無線周波数スペクトル帯域上でのスキャンをスケジューリングすることをサポートし得るというインジケーションを提供し得る。
【００８６】
[0094]別の例では、スマートスケジューリング技法は、重複する通信を避けるために使用され得る。例えば、優先度メトリックは、ＷＡＮ通信が特定のサブフレームについてスケジューリングされることを示し得る。ＵＥ１１５−ｂは、スケジューリングされたＷＡＮ通信に干渉することを避けるために、他のサブフレーム（例えば、ブランクサブフレーム）中に第２のＲＡＴの無線周波数スペクトル帯域のスキャンをスケジューリングし得る。
【００８７】
[0095]いくつかの態様では、優先度メトリックは、サブフレームガイダンス（subframe guidance）に基づき得る。例えば、ＵＥ１１５−ｂは、第１のＲＡＴの無線周波数スペクトル帯域上での通信が受信されているかどうかを決定するために、サブフレームの第１の部分を復号し得る。いかなる通信もＵＥ１１５−ｂのためのものでない場合、ＵＥ１１５−ｂは、サブフレームの第２の部分（例えば、残りの部分）が第２のＲＡＴの無線周波数スペクトル帯域上でスキャンを遂行するために利用可能であることを優先度メトリックを介して示し得る。
【００８８】
[0096]このことから、説明されたスマートスケジューリング技法を使用して、３２５において、ＵＥ１１５−ｂは、第２のＲＡＴ（例えば、ＷＬＡＮ３１０）の無線周波数スペクトル帯域上でスキャンを遂行するように第１のアンテナを再構成し、３３０においてスキャンを遂行し得る。
【００８９】
[0097]図４は、本開示の様々な態様にしたがった、無線周波数スペクトル帯域調和化をサポートするワイヤレス通信システム中のプロセスフロー４００を示している。プロセスフロー４００は、ＵＥ１１５−ｃを含み得、それは、図１〜３を参照して説明された対応するデバイスの例であり得る。プロセスフロー４００は、ＷＬＡＮ４０５およびＷＡＮ４１０を含み得、それらは、それぞれ、図１を参照して説明されたようなアクセスポイントおよび基地局１０５の例であり得る。ＷＬＡＮ４０５およびＷＡＮ４１０はまた、それぞれ、図２および３を参照して説明されたようなＷＬＡＮ２１０／３１０およびＷＡＮ２０５／３０５の例であり得る。概して、プロセスフロー４００は、異なるＲＡＴの無線周波数スペクトル帯域上での共存をサポートするために同時アクティブ状態技法における適応型リンク再構成を用いるＵＥ１１５−ｃの例を例示している。
【００９０】
[0098]プロセスフロー４００の例では、ＵＥ１１５−ｃは、２つのアンテナ（例えば、第１のアンテナおよび第２のアンテナ）を有するものとして示され、説明される。ＵＥ１１５−ｃが、２つよりも多くのアンテナを含み得ることが理解されるべきである。ＷＬＡＮ４０５が、第１のＲＡＴの無線周波数スペクトル帯域上での通信をサポートするワイヤレス通信システムの態様を例示し得ることもまた理解されるべきである。いくつかの例では、ＷＬＡＮ４０５は、Ｗｉ−Ｆｉ ＲＡＴ、等上での通信をサポートし得る。ＷＬＡＮ４０５は、アクセスポイントとして、等でインプリメントされ得る。ＷＡＮ４１０が、第２のＲＡＴの無線周波数スペクトル帯域上での通信をサポートするワイヤレス通信システムの態様を例示し得ることもまた理解されるべきである。いくつかの例では、ＷＡＮ４１０は、ＬＴＥ−Ｕ ＲＡＴ、ＬＡＡ ＲＡＴ、等上での通信をサポートし得る。ＷＡＮ４１０は、基地局として、セルとして、等でインプリメントされ得る。
【００９１】
[0099]概括的に、プロセスフロー４００は、同時アクティブ状態技法における適応型リンク再構成の態様を例示している。例えば、ＵＥ１１５−ｃは、ＷＬＡＮ ＲＡＴ（例えば、ＷＬＡＮ４０５）に接続され、フルランクモード（例えば、２×２、４×２、等）で通信していることがあり得る。フルランクモードは、ＵＥ１１５−ｃがＷＬＡＮ ＲＡＴの無線周波数スペクトル帯域上での通信のために全てのアンテナを使用していることを示し得る。フルランクモードでは、各リンク（例えば、送信アンテナから受信アンテナへのリンク）についてのスループット要件は、フルランクモードを必要としないことがあり得る、例えば、ＷＬＡＮ ＲＡＴの通信要求（the communication demands）は、フルランクモードの通信能力を必要としないことがあり得る。このことから、上位レイヤリンク構成マネージャは、ＷＬＡＮ ＲＡＴ上での通信の要求要件を決定し（例えば、ボイスオーバインターネットプロトコル（ＶＯＩＰ）対ウェブブラウジング）、ＵＥ１１５−ｃのＷＬＡＮサブシステムを提供することで、そのランクモードをフルランクからより低いランクに低減し得る、例えば、少なくとも１つのアンテナを再構成し得る。再構成されたアンテナは、ＷＡＮ ＲＡＴの無線周波数スペクトル帯域上でのＷＡＮ通信のために利用され得る。
【００９２】
[0100]４１５において、ＵＥ１１５−ｃは、第１のＲＡＴを用いて無線周波数スペクトル帯域上で通信中であり得る。第１のＲＡＴは、ＷＬＡＮ ＲＡＴ、例えば、Ｗｉ−Ｆｉ ＲＡＴであり、ＵＥ１１５−ｃは、ＷＬＡＮ４０５と通信中であり得る。ＵＥ１１５−ｃは、フルランクモードで、アンテナのセット、例えば、第１および第２のアンテナを使用してＷＬＡＮ４０５と無線周波数スペクトル帯域上で通信していることがあり得る。フルランクモードでは、ＵＥ１１５−ｃは、第１のＲＡＴの無線周波数スペクトル帯域上での通信のために全ての利用可能なアンテナを使用していることがあり得る。
【００９３】
[0101]４２０において、ＵＥ１１５−ｃは、第１のＲＡＴの無線周波数スペクトル帯域上での通信についての要求要件を決定し得る。要求要件は、しきい値を上回り得るか、またはしきい値レベルを下回り得る。概して、要求要件は、第１のＲＡＴの無線周波数スペクトル帯域上での通信の性質または必要性のインジケーションを提供し得る。例えば、第１のＲＡＴ通信の要求要件は、ＷＬＡＮリンクのチャネル条件に基づき得る（例えば、ランクモードおよびその関連するダイバーシティ利得を下げることが受け入れ可能かどうかのインジケーション）。実例的なチャネル条件は、第１のＲＡＴの無線周波数スペクトル帯域上での通信についてのＲＳＳＩ、ＳＮＲ、等を含み得る。チャネル条件がある特定の点を下回って劣化すると、要求要件は、しきい値レベルを下回ったと考えられ、ＵＥ１１５−ｃは、少なくとも１つのアンテナを再構成し得る（例えば、ランクモードを低減する）。
【００９４】
[0102]別の例では、第１のＲＡＴ通信の要求要件は、第１のＲＡＴの無線周波数スペクトル帯域上での通信の継続中のスループットに基づき得る。例えば、継続中のスループットは低下しており、これは、フルランクモードが第１のＲＡＴ通信をサポートするために必要とされ得ることを示し得る。別の例では、継続中のスループットは一貫しており、それでいてフルランクモードの能力を下回り得る。これは、フルランクモードが不必要であり得ることを示しえ（例えば、要求要件がしきい値を下回る）、したがって、ＵＥ１１５−ｃは、少なくとも１つのアンテナを再構成することができる。
【００９５】
[0103]別の例では、第１のＲＡＴ通信の要求要件は、第１のＲＡＴの無線周波数スペクトル帯域上での通信のＭＣＳに基づき得る。例えば、高ＭＣＳは、フルランクモードが必要とされることを示し、ＵＥ１１５−ｃは、ランクモードを変更することを控え得る（例えば、要求要件がしきい値を上回る）。別の例では、低ＭＣＳは、フルランクモードが不必要であることを示し（例えば、要求要件がしきい値を下回る）、ＵＥ１１５−ｃは、少なくとも１つのアンテナを再構成し得る。
【００９６】
[0104]このことから、４２５において、ＵＥ１１５−ｃは、第２のＲＡＴの無線周波数スペクトル帯域上で通信をサポートするように第１のアンテナを再構成し得る。ＵＥ１１５−ｃは、要求要件がしきい値レベルを下回ることに基づいて第１のアンテナを再構成し得る。４３０において、ＵＥ１１５−ｃは、第２のＲＡＴの無線周波数スペクトル帯域上で通信を遂行し得る。
【００９７】
[0105]概して、プロセスフロー４００は、同時にアクティブモードでの動作をサポートする（例えば、第１および第２のＲＡＴの無線周波数スペクトル帯域上で通信する）ＵＥ１１５−ｃを提供する。いくつかの態様では、しかしながら、ＵＥ１１５−ｃは、第１および／または第２のＲＡＴの無線周波数スペクトル帯域上での通信をスケジューリングするためにスマートスケジューリング技法を用い得る。例えば、ＵＥ１１５−ｃは、（例えば、ある１つの通信が低優先度であるときには）重複する通信を、および／または（例えば、ブランクサブフレーム中に）重複しない通信上で、スケジューリングし得る。このことから、ＷＬＡＮ送信（例えば、アクティブスキャン送信）は、第２のＲＡＴ上でのＷＡＮ信号のスケジュール受信と重複しないか、または干渉しないようにスケジューリングされ得る。
【００９８】
[0106]図５は、本開示の様々な態様にしたがった、無線周波数スペクトル帯域調和化をサポートするワイヤレス通信システム中のプロセスフロー５００を示している。プロセスフロー５００は、ＵＥ１１５−ｄを含み得、それは、図１〜４を参照して説明された対応するデバイスの例であり得る。プロセスフロー５００は、ＷＡＮ５０５およびＷＬＡＮ５１０を含み得、それらは、それぞれ、図１を参照して説明されたような基地局１０５およびアクセスポイントの例であり得る。ＷＡＮ５０５およびＷＬＡＮ５１０はまた、それぞれ、図２〜４を参照して説明されたようなＷＡＮ２０５／３０５／４１０およびＷＬＡＮ２１０／３１０／４０５の例であり得る。概して、プロセスフロー５００は、異なるＲＡＴの無線周波数スペクトル帯域上での共存をサポートするためにマイクロチューンアウェイプロシージャを用いるＵＥ１１５−ｄの例を例示している。
【００９９】
[0107]プロセスフロー５００の例では、ＵＥ１１５−ｄは、２つのアンテナ（例えば、第１のアンテナおよび第２のアンテナ）を有するものとして示され、説明される。ＵＥ１１５−ｄが、２つよりも多くのアンテナを含み得ることが理解されるべきである。ＷＡＮ５０５が、第１のＲＡＴの無線周波数スペクトル帯域上での通信をサポートするワイヤレス通信システムの態様を例示し得ることもまた理解されるべきである。いくつかの例では、ＷＡＮ５０５は、ＬＴＥ−Ｕ ＲＡＴ、ＬＡＡ ＲＡＴ、等上での通信をサポートし得る。ＷＡＮ５０５は、基地局として、セルとして、等でインプリメントされ得る。ＷＬＡＮ５１０が、第２のＲＡＴの無線周波数スペクトル帯域上での通信をサポートするワイヤレス通信システムの態様を例示し得ることもまた理解されるべきである。いくつかの例では、ＷＬＡＮ５１０は、Ｗｉ−Ｆｉ ＲＡＴ、等上での通信をサポートし得る。ＷＬＡＮ５１０は、アクセスポイントとして、等でインプリメントされ得る。
【０１００】
[0108]５１５において、ＵＥ１１５−ｄは、第１のＲＡＴを用いて無線周波数スペクトル帯域上で通信中であり得る。第１のＲＡＴは、ＷＡＮ ＲＡＴ、例えば、ＬＴＥ−Ｕ ＲＡＴ、ＬＡＡ ＲＡＴ、等であり、ＵＥ１１５−ｄは、ＷＡＮ５０５と通信中であり得る。ＵＥ１１５−ｄは、フルランクモードで、アンテナのセット、例えば、第１および第２のアンテナを使用してＷＡＮ５０５と無線周波数スペクトル帯域上で通信していることがあり得る。フルランクモードでは、ＵＥ１１５−ｄは、第１のＲＡＴの無線周波数スペクトル帯域上での通信のために全ての利用可能なアンテナを使用していることがあり得る。
【０１０１】
[0109]５２０において、ＵＥ１１５−ｄは、ランクモード修正スケジュールを決定し得る。ランクモード修正スケジュールは、第１のＲＡＴの無線周波数スペクトル帯域上での通信のために使用されるランクモード修正スケジュールに関連付けられたある時間期間を含み得る。概して、ランクモード修正スケジュールは、ＷＡＮ５０５がＵＥ１１５−ｄの現在のランクモードへの変更をいつサポートするかのインジケーションを提供し得る。
【０１０２】
[0110]５２５において、ＵＥ１１５−ｄは、バースト通信要件を識別し得る。バースト通信要件は、第２のＲＡＴの無線周波数スペクトル帯域上での通信に基づき得る。バースト通信要件は、ランクモード修正スケジュールに関連付けられたその時間期間より短い持続時間を有し得る。すなわち、バースト通信要件は、ランクモード修正スケジュール内で第２のＲＡＴの無線周波数スペクトル帯域上でのバースト通信をスケジューリングすることをサポートし得る。
【０１０３】
[0111]５３０において、ＵＥ１１５−ｄは、第２のＲＡＴの無線周波数スペクトル帯域上でバースト通信を遂行するように第１のアンテナを再構成し得る。５３５において、ＵＥ１１５−ｄは、第２のＲＡＴの無線周波数スペクトル帯域上でバースト通信を遂行し得る。バースト通信は、いくつかの例では、第２のＲＡＴの無線周波数スペクトル帯域上でのチャネル測定プロシージャを含み得る。ＵＥ１１５−ｄは、第１のアンテナが再構成されたというインジケーションを提供するメッセージをＷＡＮ５０５に送信することを控え得る。
【０１０４】
[0112]いくつかの例では、バースト通信は、短い持続時間の間、再構成されたアンテナを使用することを含み得る。短い持続時間のバースト通信の例は、近隣認識ネットワーク（ＮＡＮ：a neighbor-aware network）持続時間、探索および測定スキャン、等を含み得るが、それらに限定されない。バースト通信のためのマイクロチューンアウェイプロシージャの後で、またはその間に、ＵＥ１１５−ｄは、ＷＡＮ通信のために、例えば、ＷＡＮ５０５へのキープアライブ送信（keep alive transmissions）のために、第１のアンテナ（および／または第２のアンテナ）を再構成し得る。いくつかの態様では、ＵＥ１１５−ｄはまた、ネットワーク／ＷＡＮ５０５からマイクロチューンアウェイプロシージャを隠すために、ＷＡＮ５０５からのダウンリンク信号の復号を模倣または偽造し得る（例えば、ネットワークからの各ダウンリンク送信についての強制された確認応答メッセージを送る）。
【０１０５】
[0113]いくつかの例では、第２のＲＡＴの無線周波数スペクトル帯域上でバースト通信を遂行するように第１のアンテナを再構成することは、ランクモード修正スケジュールに基づかないことがあり得る。例えば、ＵＥ１１５−ｄは、バースト通信要件を識別し、上述されたスマートスケジューリング技法に基づいて第１のアンテナを再構成し得る。
【０１０６】
[0114]図６は、本開示の様々な態様にしたがった、無線周波数スペクトル帯域調和化をサポートするワイヤレス通信システムにおいて使用するためのプロセスフロー６００を示している。プロセスフロー６００は、ＵＥ１１５−ｅを含み得、それは、図１〜５を参照して説明された対応するデバイスの例であり得る。プロセスフロー６００は、ＷＡＮ６０５およびＷＬＡＮ６１０を含み得、それらは、それぞれ、図１を参照して説明されたような基地局１０５およびアクセスポイントの例であり得る。ＷＡＮ６０５およびＷＬＡＮ６１０はまた、それぞれ、図２〜５を参照して説明されたようなＷＡＮ２０５／３０５／４１０／５０５およびＷＬＡＮ２１０／３１０／４０５／５１０の例であり得る。概して、プロセスフロー６００は、異なるＲＡＴの無線周波数スペクトル帯域上での共存をサポートするためにＷＡＮ支援ＷＬＡＮ測定プロシージャを用いるＵＥ１１５−ｅの例を例示している。
【０１０７】
[0115]プロセスフロー６００の例では、ＵＥ１１５−ｅは、２つのアンテナ（例えば、第１のアンテナおよび第２のアンテナ）を有するものとして示され、説明される。ＵＥ１１５−ｅが、２つよりも多くのアンテナを含み得ることが理解されるべきである。ＷＡＮ６０５が、第１のＲＡＴの無線周波数スペクトル帯域上での通信をサポートするワイヤレス通信システムの態様を例示し得ることもまた理解されるべきである。いくつかの例では、ＷＡＮ６０５は、ＬＴＥ−Ｕ ＲＡＴ、ＬＡＡ ＲＡＴ、等上での通信をサポートし得る。ＷＡＮ６０５は、基地局として、セルとして、等でインプリメントされ得る。ＷＬＡＮ６１０が、第２のＲＡＴの無線周波数スペクトル帯域上での通信をサポートするワイヤレス通信システムの態様を例示し得ることもまた理解されるべきである。いくつかの例では、ＷＬＡＮ６１０は、Ｗｉ−Ｆｉ ＲＡＴ、等上での通信をサポートし得る。ＷＬＡＮ６１０は、アクセスポイントとして、等でインプリメントされ得る。
【０１０８】
[0116]６１５において、ＵＥ１１５−ｄは、第１のＲＡＴを用いて無線周波数スペクトル帯域上で通信中であり得る。例えば、ＵＥ１１５−ｅは、第１のＲＡＴの無線周波数スペクトル帯域上での通信のために第１および第２のアンテナを構成し得る。第１のＲＡＴは、ＷＡＮ ＲＡＴ、例えば、ＬＴＥ−Ｕ ＲＡＴ、ＬＡＡ ＲＡＴ、等であり、ＵＥ１１５−ｅは、ＷＡＮ６０５と通信中であり得る。ＵＥ１１５−ｅは、フルランクモードで、アンテナのセット、例えば、第１および第２のアンテナを使用してＷＡＮ６０５と無線周波数スペクトル帯域上で通信していることがあり得る。フルランクモードでは、ＵＥ１１５−ｅは、第１のＲＡＴの無線周波数スペクトル帯域上での通信のために全ての利用可能なアンテナを使用していることがあり得る。
【０１０９】
[0117]６２０において、ＵＥ１１５−ｅは、第２のＲＡＴ、例えば、ＷＬＡＮ ＲＡＴの無線周波数スペクトル帯域上でスキャンを遂行することに関連付けられたスキャン要求を受信し得る。スキャンは、チャネル測定スキャン、等を含み得る。６２５において、ＵＥ１１５−ｅは、第２のＲＡＴの無線周波数スペクトル帯域上でスキャンを遂行し得る、例えば、ＵＥ１１５−ｅは、ＷＬＡＮ６１０ＲＡＴをスキャンし得る。ＵＥ１１５−ｅは、スキャンのスキャン結果を示す出力を提供し得る。例えば、ＵＥ１１５−ｅは、ＵＥ１１５−ｅのＷＬＡＮサブシステム、レイヤ、またはスタックに、ＷＡＮサブシステム、レイヤ、またはスタックからのスキャン結果を示す出力を提供し得る。
【０１１０】
[0118]いくつかの態様では、スキャンを遂行することは、スキャン中に第２のＲＡＴの無線周波数スペクトル帯域上で受信されたメッセージの少なくとも一部分を復号することを含み得る。その一部分を復号することは、メッセージのプリアンブル部分を復号することを含み得る。ＵＥ１１５−ｅは、受信されたメッセージがアクセスポイント、特定のアクセスポイント、等に関連付けられるかを復号されたプリアンブルに基づいて決定し得る。スキャン結果を示す出力は、メッセージの復号された一部分のインジケーションを含み得る。いくつかの例では、ＵＥ１１５−ｅは、メッセージの復号された一部分に基づいて、受信されたメッセージに関連付けられた情報を含むかどうかを決定し得る。
【０１１１】
[0119]いくつかの態様では、ＵＥ１１５−ｅは、低減されたＷＡＮ通信の期間中に第２のＲＡＴの無線周波数スペクトル帯域上でのスキャンをスケジューリングし得る。例えば、ＵＥ１１５−ｅは、ＷＡＮ通信が低減される、スケジューリングされない、等のある時間期間を識別し得る。ＵＥ１１５−ｅは、その識別された時間期間中にＷＬＡＮスキャンをスケジューリングし得る。一例では、その時間期間は、送信時間間隔（ＴＴＩ）、例えば、いくつかの例では、サブフレームであり得る。例えば、ＵＥ１１５−ｅは、ＷＡＮの受信された信号の第１の部分を復号し、残りの部分がスケジューリングされたＷＡＮ通信を含むかどうかを決定し得る。いかなるＷＡＮ通信もスケジューリングされない場合、ＵＥ１１５−ｅは、第２のＲＡＴの無線周波数スペクトル帯域上でスキャンを遂行し得る。
【０１１２】
[0120]図７は、本開示の様々な態様にしたがった、無線周波数スペクトル帯域調和化をサポートするワイヤレスデバイス７００のブロック図を示している。ワイヤレスデバイス７００は、図１〜６を参照して説明されたＵＥ１１５の態様の例であり得る。ワイヤレスデバイス７００は、受信機７０５、周波数調和化マネージャ７１０および送信機７１５を含み得る。ワイヤレスデバイス７００はまた、プロセッサを含み得る。これらのコンポーネントの各々は、互いと通信中であり得る。
【０１１３】
[0121]受信機７０５は、様々な情報チャネル（例えば、制御チャネル、データチャネル、および無線周波数スペクトル帯域調和化に関連する情報、等）に関連付けられた制御情報、ユーザデータ、またはパケットのような情報を受信し得る。情報は、デバイスの他のコンポーネントに伝えられ得る。受信機７０５は、図１０を参照して説明されるトランシーバ１０２５の態様の例であり得る。
【０１１４】
[0122]周波数調和化マネージャ７１０は、アンテナのセットを使用して第１のＲＡＴの無線周波数スペクトル帯域上で通信し、第２のＲＡＴの無線周波数スペクトル帯域上で第１のスキャンを遂行するようにアンテナのセットのうちの少なくとも１つのアンテナを再構成し、第２のＲＡＴの無線周波数スペクトル帯域上で第２のスキャンを遂行するようにアンテナのセットのうちのアンテナの残りの部分を再構成するかどうかを第１のスキャンに基づいて決定し得る。周波数調和化マネージャ７１０はまた、図１０を参照して説明される周波数調和化マネージャ１００５の態様の例であり得る。
【０１１５】
[0123]加えてまたは代替として、周波数調和化マネージャ７１０は、第１のＲＡＴの無線周波数スペクトル帯域上でのある時間期間中の通信についての優先度メトリックを識別し、第２のＲＡＴの無線周波数スペクトル帯域上でスキャンを遂行するようにアンテナのセットのうちの少なくとも１つのアンテナを優先度メトリックに基づいて再構成し、第２のＲＡＴの無線周波数スペクトル帯域上でその時間期間中にスキャンを遂行し得る。
【０１１６】
[0124]加えてまたは代替として、周波数調和化マネージャ７１０は、アンテナのセットを使用して第１のＲＡＴの無線周波数スペクトル帯域上で通信し、アンテナのセットは、通信に関連付けられたランクモードに基づき、通信に関連付けられた要求要件がしきい値レベルを下回ることをアンテナのセットのうちの少なくとも１つのアンテナについて決定し、第２のＲＡＴの無線周波数スペクトル帯域上で通信を遂行するようにアンテナのセットのうちの少なくとも１つのアンテナを要求要件に基づいて再構成し得る。
【０１１７】
[0125]加えてまたは代替として、周波数調和化マネージャ７１０は、第１のＲＡＴの無線周波数スペクトル帯域上での通信のために使用されるランクモード修正スケジュールに関連付けられたある時間期間を識別し、第２のＲＡＴの無線周波数スペクトル帯域上でのバースト通信要件を識別し、バースト通信要件は、ランクモード修正スケジュールに関連付けられたその時間期間より短い持続時間を含み、第２のＲＡＴの無線周波数スペクトル帯域上で持続時間中にバースト通信を遂行するようにアンテナのセットのうちの少なくとも１つのアンテナを、持続時間が時間的により短いことに基づいて再構成し得る。
【０１１８】
[0126]加えてまたは代替として、周波数調和化マネージャ７１０は、第１のＲＡＴの無線周波数スペクトル帯域上での通信のためにアンテナのセットのうちの少なくとも１つのアンテナを構成し、第２のＲＡＴの無線周波数スペクトル帯域上でスキャンを遂行することに関連付けられたスキャン要求を受信し、第２のＲＡＴの無線周波数スペクトル帯域上でスキャンをスキャン要求に基づいて遂行し、スキャンに関連付けられたスキャン結果を示す出力を提供し得る。
【０１１９】
[0127]送信機７１５は、ワイヤレスデバイス７００の他のコンポーネントから受信された信号を送信し得る。いくつかの例では、送信機７１５は、トランシーバモジュール中で受信機とコロケートされ得る。例えば、送信機７１５は、図１０を参照して説明されるトランシーバ１０２５の態様の例であり得る。送信機７１５は、単一のアンテナを含み得るか、またはそれは、複数のアンテナを含み得る。
【０１２０】
[0128]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１２１】
[0129]図８は、本開示の様々な態様にしたがった、無線周波数スペクトル帯域調和化をサポートするワイヤレスデバイス８００のブロック図を示している。ワイヤレスデバイス８００は、図１〜７を参照して説明されたワイヤレスデバイス７００またはＵＥ１１５の態様の例であり得る。ワイヤレスデバイス８００は、受信機８０５、周波数調和化マネージャ８１０および送信機８６０を含み得る。ワイヤレスデバイス８００はまた、プロセッサを含み得る。これらのコンポーネントの各々は、互いと通信中であり得る。
【０１２２】
[0130]受信機８０５は、デバイスの他のコンポーネントに伝えられ得る情報を受信し得る。受信機８０５はまた、図７の受信機７０５を参照して説明された機能を遂行し得る。受信機８０５は、図１０を参照して説明されるトランシーバ１０２５の態様の例であり得る。受信機８０５は、（ＷＷＡＮトランシーバのコンポーネントであり得る）ＷＷＡＮ受信機８０６および（ＷＬＡＮトランシーバのコンポーネントであり得る）ＷＬＡＮ受信機８０７を含み得る。
【０１２３】
[0131]周波数調和化マネージャ８１０は、図７を参照して説明された周波数調和化マネージャ７１０の態様の例であり得る。周波数調和化マネージャ８１０は、スキャンコンポーネント８１５、アンテナ再構成コンポーネント８２０、優先度メトリックコンポーネント８２５、第１のＲＡＴコンポーネント８３０、要求要件コンポーネント８３５、ランクモードコンポーネント８４０、バースト通信要件コンポーネント８４５、アンテナ構成コンポーネント８５０およびスキャン要求コンポーネント８５５を含み得る。周波数調和化マネージャ８１０は、図１０を参照して説明される周波数調和化マネージャ１００５の態様の例であり得る。
【０１２４】
[0132]スキャンコンポーネント８１５は、ここに説明されたようなスキャン動作を遂行し得る。スキャンコンポーネント８１５はまた、アクセスポイントのセットのうちの少なくとも１つのアクセスポイントが第１のスキャン中に検出されたことを第１のスキャンに基づいて決定し、第１のスキャンが優先度スキャンに関連付けられることを決定し、第２のＲＡＴの無線周波数スペクトル帯域上でその時間期間中にスキャンを遂行し、第２のＲＡＴの無線周波数スペクトル帯域上でスキャンをスキャン要求に基づいて遂行し、スキャンに関連付けられたスキャン結果を示す出力を提供し、その時間期間中に遂行されるようにスキャンをスケジューリングし得る。
【０１２５】
[0133]いくつかのケースでは、第２のＲＡＴの無線周波数スペクトル帯域上でスキャンを遂行することは、第１のＲＡＴ上でのその時間期間中の通信に干渉することを含む。いくつかのケースでは、スキャンは、デュアルアンテナチューンアウェイプロシージャを含む。いくつかのケースでは、その時間期間は、送信時間間隔の少なくとも一部分を含む。
【０１２６】
[0134]アンテナ再構成コンポーネント８２０は、ここに説明されたように、少なくとも１つのアンテナを構成または再構成し得る。いくつかのケースでは、アンテナ再構成コンポーネント８２０はまた、第２のスキャンを遂行するようにアンテナのセットのうちのアンテナの残りの部分を再構成することを控え得るか、または第２のスキャンを遂行するようにアンテナのセットのうちのアンテナの残りの部分を再構成することを控え得る。
【０１２７】
[0135]アンテナ再構成コンポーネント８２０はまた、第２のＲＡＴの無線周波数スペクトル帯域上で第１のスキャンを遂行するようにアンテナのセットのうちの少なくとも１つのアンテナをチャネルスキャン分布値に基づいて再構成し得るか、優先度スキャンを遂行するようにアンテナのセットのうちのアンテナの残りの部分を再構成し得るか、または第１のスキャンを遂行するようにアンテナのセットのうちの少なくとも１つのアンテナを再構成することを控え得る。
【０１２８】
[0136]アンテナ再構成コンポーネント８２０はまた、その時間期間中に第１および第２のスキャンを遂行するようにアンテナのセットのうちの、少なくとも１つのアンテナ、アンテナの残りの部分、またはそれらの組み合わせを再構成し得るか、第２のＲＡＴの無線周波数スペクトル帯域上でスキャンを遂行するようにアンテナのセットのうちの少なくとも１つのアンテナを優先度メトリックに基づいて再構成し得るか、または第２のＲＡＴの無線周波数スペクトル帯域上で通信を遂行するようにアンテナのセットのうちの少なくとも１つのアンテナを要求要件に基づいて再構成し得る。
【０１２９】
[0137]アンテナ再構成コンポーネント８２０は、第２のＲＡＴの無線周波数スペクトル帯域上で通信を遂行するようにアンテナのセットのうちの少なくとも１つのアンテナを再構成し、第２のＲＡＴの無線周波数スペクトル帯域上で持続時間中にバースト通信を遂行するようにアンテナのセットのうちの少なくとも１つのアンテナを、持続時間が時間的により短いことに基づいて再構成し、第２のＲＡＴの無線周波数スペクトル帯域上で第１のスキャンを遂行するようにアンテナのセットのうちの少なくとも１つのアンテナを再構成し、第２のＲＡＴの無線周波数スペクトル帯域上で第２のスキャンを遂行するようにアンテナのセットのうちのアンテナの残りの部分を再構成するかどうかを第１のスキャンに基づいて決定し、第２のスキャンを遂行するようにアンテナのセットのうちのアンテナの残りの部分を再構成することを控え得る。
【０１３０】
[0138]優先度メトリックコンポーネント８２５は、第１のＲＡＴの無線周波数スペクトル帯域上でのある時間期間中の通信についての優先度メトリックを識別し、第１のＲＡＴの無線周波数スペクトル帯域上でのある時間期間中の通信についての優先度メトリックを識別し、第１のＲＡＴの無線周波数スペクトル帯域上でのある時間期間中の通信についての優先度メトリックを識別し得る。
【０１３１】
[0139]いくつかのケースでは、優先度メトリックは、その時間期間中の通信が少なくとも１つのブランクサブフレームを含むことを示し、第１のＲＡＴの無線周波数スペクトル帯域上での通信のその時間期間中の通信に干渉することを避けるために、第２のＲＡＴの無線周波数スペクトル帯域上で少なくとも１つのブランクサブフレーム中にスキャンを遂行することを含む。
【０１３２】
[0140]第１のＲＡＴコンポーネント８３０は、アンテナのセットを使用して第１のＲＡＴの無線周波数スペクトル帯域上で通信し、アンテナのセットは、通信に関連付けられたランクモードに基づき、アンテナのセットを使用して第１のＲＡＴの無線周波数スペクトル帯域上で通信し得る。
【０１３３】
[0141]要求要件コンポーネント８３５は、通信に関連付けられた要求要件がしきい値レベルを下回ることをアンテナのセットのうちの少なくとも１つのアンテナについて決定し得る。いくつかのケースでは、要求要件は、通信がしきい値レベルを下回るスループット要件に関連付けられることを示す。いくつかのケースでは、要求要件は、通信がしきい値を上回るチャネル条件パラメータに関連付けられることを示す。いくつかのケースでは、要求要件は、通信が予め定義された変調およびコーディングスキームに関連付けられることを示す。
【０１３４】
[0142]ランクモードコンポーネント８４０は、第１のＲＡＴの無線周波数スペクトル帯域上での通信のために使用されるランクモード修正スケジュールに関連付けられたある時間期間を識別し得る。
【０１３５】
[0143]バースト通信要件コンポーネント８４５は、第２のＲＡＴの無線周波数スペクトル帯域上でのバースト通信要件を識別し得、バースト通信要件は、ランクモード修正スケジュールに関連付けられたその時間期間より短い持続時間を含む。いくつかのケースでは、バースト通信は、第２のＲＡＴの無線周波数スペクトル帯域上でのチャネル測定プロシージャを含む。
【０１３６】
[0144]アンテナ構成コンポーネント８５０は、第１のＲＡＴの無線周波数スペクトル帯域上での通信のためにアンテナのセットのうちの少なくとも１つのアンテナを構成し得る。スキャン要求コンポーネント８５５は、第２のＲＡＴの無線周波数スペクトル帯域上でスキャンを遂行することに関連付けられたスキャン要求を受信し得る。
【０１３７】
[0145]送信機８６０は、ワイヤレスデバイス８００の他のコンポーネントから受信された信号を送信し得る。いくつかの例では、送信機８６０は、トランシーバモジュール中で受信機とコロケートされ得る。例えば、送信機８６０は、図１０を参照して説明されるトランシーバ１０２５の態様の例であり得る。送信機８６０は、単一のアンテナを利用し得るか、またはそれは、複数のアンテナを利用し得る。送信機８６０は、（ＷＷＡＮトランシーバのコンポーネントであり得る）ＷＷＡＮ送信機８６１および（ＷＬＡＮトランシーバのコンポーネントであり得る）ＷＬＡＮ送信機８６２を含み得る。
【０１３８】
[0146]図９は、ワイヤレスデバイス７００またはワイヤレスデバイス８００の対応するコンポーネントの例であり得る周波数調和化マネージャ９００のブロック図を示している。すなわち、周波数調和化マネージャ９００は、図７および８を参照して説明された周波数調和化マネージャ７１０または周波数調和化マネージャ８１０の態様の例であり得る。周波数調和化マネージャ９００はまた、図１０を参照して説明される周波数調和化マネージャ１００５の態様の例であり得る。
【０１３９】
[0147]周波数調和化マネージャ９００は、スキャンコンポーネント９０５、分布値コンポーネント９１０、輻輳メトリックコンポーネント９１５、優先度メトリックコンポーネント９２０、アンテナ再構成コンポーネント９２５、第１のＲＡＴコンポーネント９３０、要求要件コンポーネント９３５、再構成インジケーションコンポーネント９４０、ランクモードコンポーネント９４５、バースト通信要件コンポーネント９５０、アンテナ構成コンポーネント９５５、スキャン要求コンポーネント９６０、復号器９６５、アクセスポイント値コンポーネント９７０および通信要件コンポーネント９７５を含み得る。これらのモジュールの各々は、（例えば、少なくとも１つのバスを介して）互いと直接的にまたは間接的に通信し得る。
【０１４０】
[0148]スキャンコンポーネント９０５は、アクセスポイントのセットのうちの少なくとも１つのアクセスポイントが第１のスキャン中に検出されたことを第１のスキャンに基づいて決定し、第１のスキャンが優先度スキャンに関連付けられることを決定し、第２のＲＡＴの無線周波数スペクトル帯域上でその時間期間中にスキャンを遂行し、第２のＲＡＴの無線周波数スペクトル帯域上でスキャンをスキャン要求に基づいて遂行し、スキャンに関連付けられたスキャン結果を示す出力を提供し、その時間期間中に遂行されるようにスキャンをスケジューリングし得る。いくつかのケースでは、第２のＲＡＴの無線周波数スペクトル帯域上でスキャンを遂行することは、第１のＲＡＴ上でのその時間期間中の通信に干渉することを含む。いくつかのケースでは、スキャンは、デュアルアンテナチューンアウェイプロシージャを含む。いくつかのケースでは、その時間期間は、送信時間間隔の少なくとも一部分を含む。
【０１４１】
[0149]分布値コンポーネント９１０は、無線周波数スペクトル帯域のセットについてのチャネルスキャン分布値が予め定義された偏差値内にあることを決定し得る。
【０１４２】
[0150]輻輳メトリックコンポーネント９１５は、異なる無線周波数スペクトル帯域に関連付けられた輻輳メトリックがしきい値レベルを上回ることを決定し得る。
【０１４３】
[0151]優先度メトリックコンポーネント９２０は、第１のＲＡＴの無線周波数スペクトル帯域上でのある時間期間中の通信についての優先度メトリックを識別し、第１のＲＡＴの無線周波数スペクトル帯域上でのある時間期間中の通信についての優先度メトリックを識別し、第１のＲＡＴの無線周波数スペクトル帯域上でのある時間期間中の通信についての優先度メトリックを識別し得る。
【０１４４】
[0152]アンテナ再構成コンポーネント９２５は、ここに説明されたように、少なくとも１つのアンテナを構成または再構成し得る。いくつかのケースでは、アンテナ再構成コンポーネント９２５はまた、第２のスキャンを遂行するようにアンテナのセットのうちのアンテナの残りの部分を再構成することを控え得るか、または第２のスキャンを遂行するようにアンテナのセットのうちのアンテナの残りの部分を再構成することを控え得る。
【０１４５】
[0153]アンテナ再構成コンポーネント９２５はまた、第２のＲＡＴの無線周波数スペクトル帯域上で第１のスキャンを遂行するようにアンテナのセットのうちの少なくとも１つのアンテナをチャネルスキャン分布値に基づいて再構成し得るか、優先度スキャンを遂行するようにアンテナのセットのうちのアンテナの残りの部分を再構成し得るか、または第１のスキャンを遂行するようにアンテナのセットのうちの少なくとも１つのアンテナを再構成することを控え得る。
【０１４６】
[0154]アンテナ再構成コンポーネント９２５はまた、その時間期間中に第１および第２のスキャンを遂行するようにアンテナのセットのうちの、少なくとも１つのアンテナ、アンテナの残りの部分、またはそれらの組み合わせを再構成し得るか、第２のＲＡＴの無線周波数スペクトル帯域上でスキャンを遂行するようにアンテナのセットのうちの少なくとも１つのアンテナを優先度メトリックに基づいて再構成し得るか、または第２のＲＡＴの無線周波数スペクトル帯域上で通信を遂行するようにアンテナのセットのうちの少なくとも１つのアンテナを要求要件に基づいて再構成し得る。
【０１４７】
[0155]アンテナ再構成コンポーネント９２５は、第２のＲＡＴの無線周波数スペクトル帯域上で通信を遂行するようにアンテナのセットのうちの少なくとも１つのアンテナを再構成し、第２のＲＡＴの無線周波数スペクトル帯域上で持続時間中にバースト通信を遂行するようにアンテナのセットのうちの少なくとも１つのアンテナを、持続時間が時間的により短いことに基づいて再構成し、第２のＲＡＴの無線周波数スペクトル帯域上で第１のスキャンを遂行するようにアンテナのセットのうちの少なくとも１つのアンテナを再構成し、第２のＲＡＴの無線周波数スペクトル帯域上で第２のスキャンを遂行するようにアンテナのセットのうちのアンテナの残りの部分を再構成するかどうかを第１のスキャンに基づいて決定し、第２のスキャンを遂行するようにアンテナのセットのうちのアンテナの残りの部分を再構成することを控え得る。
【０１４８】
[0156]第１のＲＡＴコンポーネント９３０は、アンテナのセットを使用して第１のＲＡＴの無線周波数スペクトル帯域上で通信し、アンテナのセットは、通信に関連付けられたランクモードに基づき、アンテナのセットを使用して第１のＲＡＴの無線周波数スペクトル帯域上で通信し得る。
【０１４９】
[0157]要求要件コンポーネント９３５は、通信に関連付けられた要求要件がしきい値レベルを下回ることをアンテナのセットのうちの少なくとも１つのアンテナについて決定し得る。いくつかのケースでは、要求要件は、通信がしきい値レベルを下回るスループット要件に関連付けられることを示す。いくつかのケースでは、要求要件は、通信がしきい値を上回るチャネル条件パラメータに関連付けられることを示す。いくつかのケースでは、要求要件は、通信が予め定義された変調およびコーディングスキームに関連付けられることを示す。
【０１５０】
[0158]再構成インジケーションコンポーネント９４０は、アンテナのセットのうちの少なくとも１つのアンテナが再構成されたというインジケーションを含むメッセージをアクセスポイントに送信し、アンテナのセットのうちの少なくとも１つのアンテナが再構成されたことを示すメッセージを基地局に送信することを控え得る。いくつかのケースでは、メッセージは、多入力／多出力（ＭＩＭＯ）省電力（ＰＳ）アクションフレームを含む。
【０１５１】
[0159]ランクモードコンポーネント９４５は、第１のＲＡＴの無線周波数スペクトル帯域上での通信のために使用されるランクモード修正スケジュールに関連付けられたある時間期間を識別し得る。
【０１５２】
[0160]バースト通信要件コンポーネント９５０は、第２のＲＡＴの無線周波数スペクトル帯域上でのバースト通信要件を識別し得、バースト通信要件は、ランクモード修正スケジュールに関連付けられたその時間期間より短い持続時間を含む。いくつかのケースでは、バースト通信は、第２のＲＡＴの無線周波数スペクトル帯域上でのチャネル測定プロシージャを含む。
【０１５３】
[0161]アンテナ構成コンポーネント９５５は、第１のＲＡＴの無線周波数スペクトル帯域上での通信のためにアンテナのセットのうちの少なくとも１つのアンテナを構成し得る。
【０１５４】
[0162]スキャン要求コンポーネント９６０は、第２のＲＡＴの無線周波数スペクトル帯域上でスキャンを遂行することに関連付けられたスキャン要求を受信し得る。復号器９６５は、スキャン中に受信されたメッセージの少なくとも一部分を復号し、メッセージに関連付けられた情報をスキャン結果に含めるかどうかをメッセージの復号された一部分に基づいて決定し得る。
【０１５５】
[0163]アクセスポイント値コンポーネント９７０は、アクセスポイントカウントがしきい値レベルより大きいことを第１のスキャンに基づいて決定し、アクセスポイントカウント値がチャネル条件メトリックより低いことを第１のスキャンに基づいて決定し得る。通信要件コンポーネント９７５は、第１のＲＡＴの無線周波数スペクトル帯域上での通信に関連付けられたある時間期間の間の低減された通信要件を識別し得る。
【０１５６】
[0164]図１０は、本開示の様々な態様にしたがった、無線周波数スペクトル帯域調和化をサポートするデバイスを含むシステム１０００の図を示している。例えば、システム１０００は、ＵＥ１１５−ｆを含み得、それは、図１〜９を参照して説明されたようなワイヤレスデバイス７００、ワイヤレスデバイス８００、またはＵＥ１１５の例であり得る。
【０１５７】
[0165]ＵＥ１１５−ｆはまた、周波数調和化マネージャ１００５、メモリ１０１０、プロセッサ１０２０、トランシーバ１０２５、アンテナ１０３０およびＭＩＭＯモジュール１０３５を含み得る。これらのモジュールの各々は、（例えば、少なくとも１つのバスを介して）互いと直接的にまたは間接的に通信し得る。周波数調和化マネージャ１００５は、図７〜９を参照して説明されたような周波数調和化マネージャの例であり得る。
【０１５８】
[0166]メモリ１０１０は、ランダムアクセスメモリ（ＲＡＭ）および読取専用メモリ（ＲＯＭ）を含み得る。メモリ１０１０は、実行されると、プロセッサに、ここに説明された様々な機能（例えば、無線周波数スペクトル帯域調和化、等）を遂行することを行わせる命令を含むコンピュータ可読、コンピュータ実行可能ソフトウェアを記憶し得る。いくつかのケースでは、ソフトウェア１０１５は、プロセッサによって直接的に実行可能でないことがあり得るが、（例えば、コンパイルおよび実行されると）コンピュータに、ここに説明された機能を遂行することを行わせ得る。プロセッサ１０２０は、インテリジェントハードウェアデバイス、（例えば、中央処理ユニット（ＣＰＵ）、マイクロコントローラ、特定用途向け集積回路（ＡＳＩＣ）、等）を含み得る。
【０１５９】
[0167]トランシーバ１０２５は、上述されたように、少なくとも１つのネットワークと、少なくとも１つのアンテナ、ワイヤード、またはワイヤレスリンクを介して、双方向に通信し得る。例えば、トランシーバ１０２５は、基地局１０５またはＵＥ１１５と双方向に通信し得る。トランシーバ１０２５はまた、パケットを変調し、変調されたパケットを送信のためにアンテナに提供することと、アンテナから受信されたパケットを復調することとを行うためのモデムを含み得る。いくつかのケースでは、トランシーバ１０２５は、ＷＬＡＮおよびＷＷＡＮと通信するための別個のトランシーバコンポーネントを含み得る。
【０１６０】
[0168]いくつかのケースでは、ワイヤレスデバイスは、単一のアンテナ１０３０を含み得る。しかしながら、いくつかのケースでは、デバイスは、１つよりも多くのアンテナ１０３０を有し得、それらは、複数のワイヤレス送信を同時に送信または受信することが可能であり得る。ＭＩＭＯモジュール１０３５は、図１を参照して上述されたように、少なくとも１つのアンテナを使用してＭＩＭＯ動作を可能にし得る。
【０１６１】
[0169]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１６２】
[0170]図１１は、本開示の様々な態様にしたがった、無線周波数スペクトル帯域調和化のための方法１１００を例示するフローチャートを示している。方法１１００の動作は、図１〜６を参照して説明されたように、ＵＥ１１５のようなデバイスまたはそのコンポーネントによってインプリメントされ得る。例えば、方法１１００の動作は、ここに説明されたような周波数調和化マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、特殊用途ハードウェアを使用して、以下に説明される機能の態様を遂行し得る。
【０１６３】
[0171]ブロック１１０５において、ＵＥ１１５は、図２〜６を参照して上述されたように、アンテナのセットを使用して第１のＲＡＴの無線周波数スペクトル帯域上で通信し得る。ある特定の例では、ブロック１１０５の動作は、図８および９を参照して説明されたような第１のＲＡＴコンポーネントによって遂行され得る。
【０１６４】
[0172]ブロック１１１０において、ＵＥ１１５は、図２〜６を参照して上述されたように、第２のＲＡＴの無線周波数スペクトル帯域上で第１のスキャンを遂行するようにアンテナのセットのうちの少なくとも１つのアンテナを再構成し得る。ある特定の例では、ブロック１１１０の動作は、図８および９を参照して説明されたようなアンテナ再構成コンポーネントによって遂行され得る。
【０１６５】
[0173]ブロック１１１５において、ＵＥ１１５は、図２〜６を参照して上述されたように、第２のＲＡＴの無線周波数スペクトル帯域上で第２のスキャンを遂行するようにアンテナのセットのうちのアンテナの残りの部分を再構成するかどうかを第１のスキャンに基づいて決定し得る。ある特定の例では、ブロック１１１５の動作は、図８および９を参照して説明されたようなアンテナ再構成コンポーネントによって遂行され得る。
【０１６６】
[0174]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１６７】
[0175]図１２は、本開示の様々な態様にしたがった、無線周波数スペクトル帯域調和化のための方法１２００を例示するフローチャートを示している。方法１２００の動作は、図１〜６を参照して説明されたように、ＵＥ１１５のようなデバイスまたはそのコンポーネントによってインプリメントされ得る。例えば、方法１２００の動作は、ここに説明されたような周波数調和化マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、特殊用途ハードウェアを使用して、以下に説明される機能の態様を遂行し得る。
【０１６８】
[0176]ブロック１２０５において、ＵＥ１１５は、図２〜６を参照して上述されたように、第１のＲＡＴの無線周波数スペクトル帯域上でのある時間期間中の通信についての優先度メトリックを識別し得る。ある特定の例では、ブロック１２０５の動作は、図８および９を参照して説明されたような優先度メトリックコンポーネントによって遂行され得る。
【０１６９】
[0177]ブロック１２１０において、ＵＥ１１５は、図２〜６を参照して上述されたように、第２のＲＡＴの無線周波数スペクトル帯域上でスキャンを遂行するようにアンテナのセットのうちの少なくとも１つのアンテナを優先度メトリックに基づいて再構成し得る。ある特定の例では、ブロック１２１０の動作は、図８および９を参照して説明されたようなアンテナ再構成コンポーネントによって遂行され得る。
【０１７０】
[0178]ブロック１２１５において、ＵＥ１１５は、図２〜６を参照して上述されたように、第２のＲＡＴの無線周波数スペクトル帯域上でその時間期間中にスキャンを遂行し得る。ある特定の例では、ブロック１２１５の動作は、図８および９を参照して説明されたようなスキャンコンポーネントによって遂行され得る。
【０１７１】
[0179]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１７２】
[0180]図１３は、本開示の様々な態様にしたがった、無線周波数スペクトル帯域調和化のための方法１３００を例示するフローチャートを示している。方法１３００の動作は、図１〜６を参照して説明されたように、ＵＥ１１５のようなデバイスまたはそのコンポーネントによってインプリメントされ得る。例えば、方法１３００の動作は、ここに説明されたような周波数調和化マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、特殊用途ハードウェアを使用して、以下に説明される機能の態様を遂行し得る。
【０１７３】
[0181]ブロック１３０５において、ＵＥ１１５は、図２〜６を参照して上述されたように、アンテナのセットを使用して第１のＲＡＴの無線周波数スペクトル帯域上で通信し得、アンテナのセットは、通信に関連付けられたランクモードに基づく。ある特定の例では、ブロック１３０５の動作は、図８および９を参照して説明されたような第１のＲＡＴコンポーネントによって遂行され得る。
【０１７４】
[0182]ブロック１３１０において、ＵＥ１１５は、図２〜６を参照して上述されたように、通信に関連付けられた要求要件がしきい値レベルを下回ることをアンテナのセットのうちの少なくとも１つのアンテナについて決定し得る。ある特定の例では、ブロック１３１０の動作は、図８および９を参照して説明されたような要求要件コンポーネントによって遂行され得る。
【０１７５】
[0183]ブロック１３１５において、ＵＥ１１５は、図２〜６を参照して上述されたように、第２のＲＡＴの無線周波数スペクトル帯域上で通信を遂行するようにアンテナのセットのうちの少なくとも１つのアンテナを要求要件に基づいて再構成し得る。ある特定の例では、ブロック１３１５の動作は、図８および９を参照して説明されたようなアンテナ再構成コンポーネントによって遂行され得る。
【０１７６】
[0184]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１７７】
[0185]図１４は、本開示の様々な態様にしたがった、無線周波数スペクトル帯域調和化のための方法１４００を例示するフローチャートを示している。方法１４００の動作は、図１〜６を参照して説明されたように、ＵＥ１１５のようなデバイスまたはそのコンポーネントによってインプリメントされ得る。例えば、方法１４００の動作は、ここに説明されたような周波数調和化マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、特殊用途ハードウェアを使用して、以下に説明される機能の態様を遂行し得る。
【０１７８】
[0186]ブロック１４０５において、ＵＥ１１５は、図２〜６を参照して上述されたように、第１のＲＡＴの無線周波数スペクトル帯域上での通信のために使用されるランクモード修正スケジュールに関連付けられたある時間期間を識別し得る。ある特定の例では、ブロック１４０５の動作は、図８および９を参照して説明されたようなランクモードコンポーネントによって遂行され得る。
【０１７９】
[0187]１４１０において、ＵＥ１１５は、図２〜６を参照して上述されたように、第２のＲＡＴの無線周波数スペクトル帯域上でのバースト通信要件を識別し得、バースト通信要件は、ランクモード修正スケジュールに関連付けられたその時間期間より短い持続時間を含む。ある特定の例では、ブロック１４１０の動作は、図８および９を参照して説明されたようなバースト通信要件コンポーネントによって遂行され得る。
【０１８０】
[0188]ブロック１４１５において、ＵＥ１１５は、図２〜６を参照して上述されたように、第２のＲＡＴの無線周波数スペクトル帯域上で持続時間中にバースト通信を遂行するようにアンテナのセットのうちの少なくとも１つのアンテナを、持続時間が時間的により短いことに基づいて再構成し得る。ある特定の例では、ブロック１４１５の動作は、図８および９を参照して説明されたようなアンテナ再構成コンポーネントによって遂行され得る。
【０１８１】
[0189]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１８２】
[0190]図１５は、本開示の様々な態様にしたがった、無線周波数スペクトル帯域調和化のための方法１５００を例示するフローチャートを示している。方法１５００の動作は、図１〜６を参照して説明されたように、ＵＥ１１５のようなデバイスまたはそのコンポーネントによってインプリメントされ得る。例えば、方法１５００の動作は、ここに説明されたような周波数調和化マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、特殊用途ハードウェアを使用して、以下に説明される機能の態様を遂行し得る。
【０１８３】
[0191]ブロック１５０５において、ＵＥ１１５は、図２〜６を参照して上述されたように、第１のＲＡＴの無線周波数スペクトル帯域上での通信のためにアンテナのセットのうちの少なくとも１つのアンテナを構成し得る。ある特定の例では、ブロック１５０５の動作は、図８および９を参照して説明されたようなアンテナ構成コンポーネントによって遂行され得る。
【０１８４】
[0192]ブロック１５１０において、ＵＥ１１５は、図２〜６を参照して上述されたように、第２のＲＡＴの無線周波数スペクトル帯域上でスキャンを遂行することに関連付けられたスキャン要求を受信し得る。ある特定の例では、ブロック１５１０の動作は、図８および９を参照して説明されたようなスキャン要求コンポーネントによって遂行され得る。
【０１８５】
[0193]ブロック１５１５において、ＵＥ１１５は、図２〜６を参照して上述されたように、第２のＲＡＴの無線周波数スペクトル帯域上でスキャンをスキャン要求に基づいて遂行し得る。ある特定の例では、ブロック１５１５の動作は、図８および９を参照して説明されたようなスキャンコンポーネントによって遂行され得る。
【０１８６】
[0194]ブロック１５２０において、ＵＥ１１５は、図２〜６を参照して上述されたように、スキャンに関連付けられたスキャン結果を示す出力を提供し得る。ある特定の例では、ブロック１５２０の動作は、図８および９を参照して説明されたようなスキャンコンポーネントによって遂行され得る。
【０１８７】
[0195]１つまたは複数のアンテナが本開示中に例として説明されるが、ここに説明される技法および方法は、少なくとも１つのデバイス（例えば、中でもとりわけ、ＵＥ１１５、ＡＰ１０６、または基地局１０５）に関連付けられた様々な他のリソースに適用される。追加のリソースは、モデムハードウェア（例えば、モデムの処理ユニット）、ベースバンドハードウェア、無線周波数（ＲＦ）フロントエンド、ＲＦバックエンド、ＲＦチップコンポーネント（例えば、いくつかの発振器）、他のリソース、またはそれらの組み合わせを含み得るが、それらに限定されない。そのため、説明される技法および方法はまた、少なくとも１つのデバイスに関連付けられた他のリソースに適用され、これらの他のリソースに基づく例および実施形態が企図される。
【０１８８】
[0196]これらの方法は、可能なインプリメンテーションを説明しており、動作およびステップは、他のインプリメンテーションが可能になるように、再配列またはそうでない場合は修正され得ることに留意されたい。いくつかの例では、これらの方法のうちの２つ以上からの態様が組み合わされ得る。例えば、これらの方法の各々の態様は、ここに説明された他の方法のステップまたは態様、あるいは他のステップまたは技法を含み得る。このことから、本開示の態様は、無線周波数スペクトル帯域調和化を提供し得る。
【０１８９】
[0197]ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。この開示全体を通じて、「例（example）」または「例証的（exemplary）」という用語は、例または事例を示し、言及された例についてのいかなる選好も暗示または必要とはしない。このことから、本開示は、ここに説明された例および設計に限定されるべきではなく、ここに開示された原理および新規の特徴と一致する最も広い範囲が付与されるべきである。
【０１９０】
[0198]ここに説明された機能は、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、機能は、コンピュータ可読媒体上の少なくとも１つの命令またはコードとして送信あるいは記憶され得る。他の例およびインプリメンテーションは、本開示および添付された特許請求の範囲内にある。例えば、ソフトウェアの性質に起因して、上述された機能は、プロセッサによって実行されるソフトウェア、ハードウェア、ファームウェア、ハード配線、またはこれらのうちの任意のものの組み合わせを使用してインプリメントされることができる。機能をインプリメントする特徴はまた、機能の一部分が異なる物理的（ＰＨＹ）ロケーションにおいてインプリメントされるように分散されることを含め、様々な位置において物理的にロケートされ得る。また、特許請求の範囲を含め、ここに使用される場合、項目のリスト（例えば、「〜のうちの少なくとも１つ（at least one of）」または「１つまたは複数（one or more）」のようなフレーズで始まる項目のリスト）中で使用される「または／あるいは／もしくは（or）」は、例えば、Ａ、Ｂ、またはＣのうちの少なくとも１つのリストが、Ａ、Ｂ、Ｃ、ＡとＢ、ＡとＣ、ＢとＣ、ＡとＢとＣ（すなわち、Ａ、Ｂ、およびＣ）を意味するような、包含的なリストを示す。
【０１９１】
[0199]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望されたプログラムコード手段を記憶または搬送するために使用されることができ、汎用または特殊用途コンピュータ、もしくは汎用または特殊用途プロセッサによってアクセスされることができる任意の他の非一時的媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、ここに使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１９２】
[0200]ここに説明された技法は、ＣＤＭＡ、ＴＤＭＡ、ＦＤＭＡ、ＯＦＤＭＡ、単一キャリア周波数分割多元接続（ＳＣ−ＦＤＭＡ）、および他のシステムのような様々なワイヤレス通信システムに対して使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））およびＣＤＭＡの他の変形を含む。ＴＤＭＡシステムは、（モバイル通信のためのグローバルシステム（ＧＳＭ（登録商標）））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１、ＩＥＥＥ８０２．１６（ＷｉＭＡＸ）、ＩＥＥＥ８０２．２０、フラッシュＯＦＤＭ、等のような無線技術をインプリメントし得る。ＵＴＲＡおよびＥ−ＵＴＲＡは、ユニバーサルモバイル電気通信システム（ユニバーサルモバイル電気通信システム（ＵＭＴＳ））の一部である。３ＧＰＰ（登録商標） ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）という名称の組織からの文書中に説明されている。ＣＤＭＡ２０００およびＵＭＢは、「第３世代パートナーシッププロジェクト２」（３ＧＰＰ２）という名称の組織からの文書中に説明されている。ここに説明された技法は、上述されたシステムおよび無線技術ならびに他のシステムおよび無線技術に対して使用され得る。ここでの説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
【０１９３】
[0201]ここに説明されたネットワークを含むＬＴＥ／ＬＴＥ−Ａネットワークでは、ｅＮＢという用語は概して、基地局を説明するために使用され得る。ここに説明された１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア（ＣＣ）、あるいはキャリアまたは基地局のカバレッジエリア（例えば、セクタ、等）を説明するために使用されることができる３ＧＰＰの用語である。
【０１９４】
[0202]基地局は、ベーストランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分のみを構成するセクタへと分割され得る。ここに説明された１つまたは複数のワイヤレス通信システムは、異なるタイプの基地局（例えば、マクロまたはスモールセル基地局）を含み得る。ここに説明されたＵＥは、マクロｅＮＢ、スモールセルｅＮＢ、中継基地局、および同様のものを含む様々なタイプの基地局およびネットワーク機器と通信することが可能であり得る。異なる技術のために重複する地理的カバレッジエリアが存在し得る。いくつかのケースでは、異なるカバレッジエリアは、異なる通信技術に関連付けられ得る。いくつかのケースでは、ある１つの通信技術に対するカバレッジエリアは、別の技術に関連付けられたカバレッジエリアと重複し得る。異なる技術は、同じ基地局に、または異なる基地局に関連付けられ得る。
【０１９５】
[0203]マクロセルは概して、比較的大きい地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、ラインセンス、アンライセンス、等の）周波数帯域中で動作し得るより低電力の基地局である。スモールセルは、様々な例にしたがって、ピコセル、フェムトセル、およびマイクロセルを含み得る。ピコセルは、例えば、小さい地理的エリアをカバーし、ネットワークプロバイダにサービス加入しているＵＥによる無制限のアクセスを可能にし得る。フェムトセルもまた、小さい地理的エリア（例えば、家）をカバーし、フェムトセルとの関連付けを有するＵＥ（例えば、クローズド加入者グループ（ＣＳＧ）中のＵＥ、家の中にいるユーザのためのＵＥ、および同様のもの）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、および同様の数）のセル（例えば、ＣＣ）をサポートし得る。ＵＥは、マクロｅＮＢ、スモールセルｅＮＢ、中継基地局、および同様のものを含む様々なタイプの基地局およびネットワーク機器と通信することが可能であり得る。
【０１９６】
[0204]ここに説明された１つまたは複数のワイヤレス通信システムは、同期または非同期動作をサポートし得る。同期動作の場合、基地局は、同様のフレームタイミングを有し、異なる基地局からの送信は、時間的にほぼアラインされ得る（approximately aligned in time）。非同期動作の場合、基地局は、異なるフレームタイミングを有し、異なる基地局からの送信は、時間的にアラインされないことがあり得る。ここに説明された技法は、同期または非同期動作のいずれかに対して使用され得る。
【０１９７】
[0205]ここに説明されたＤＬ送信はまた、順方向リンク送信と呼ばれ、その一方でＵＬ送信はまた、逆方向リンク送信と呼ばれ得る。例えば、図１のワイヤレス通信システム１００を含む、ここに説明された各通信リンクは、少なくとも１つのキャリアを含み得、ここで、各キャリアは、複数のサブキャリア（例えば、異なる周波数の波形信号）から成る信号であり得る。各変調された信号は、異なるサブキャリア上で送られ、制御情報（例えば、基準信号、制御チャネル、等）、オーバヘッド情報、ユーザデータ、等を搬送し得る。ここに説明された通信リンク（例えば、図１の通信リンク１２５）は、周波数分割複信（ＦＤＤ）動作を使用して（例えば、対にされたスペクトルリソースを使用して）またはＴＤＤ動作を使用して（例えば、対にされていないスペクトルリソースを使用して）双方向通信を送信し得る。ＦＤＤについてのフレーム構造（例えば、フレーム構造タイプ１）およびＴＤＤについてのフレーム構造（例えば、フレーム構造タイプ２）が定義され得る。
【０１９８】
[0206]このことから、本開示の態様は、無線周波数スペクトル帯域調和化を提供し得る。これらの方法は、可能なインプリメンテーションを説明しており、動作およびステップは、他のインプリメンテーションが可能になるように、再配列またはそうでない場合は修正され得ることに留意されたい。いくつかの例では、これらの方法のうちの２つ以上からの態様が組み合わされ得る。
【０１９９】
[0207]ここでの開示に関連して説明された様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブルロジックデバイス、ディスクリートゲートまたはトランジスタロジック、ディスクリートハードウェアコンポーネント、あるいはここに説明された機能を遂行するように設計されたそれらの任意の組み合わせを用いてインプリメントまたは遂行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、ＤＳＰおよびマイクロプロセッサの組み合わせ、複数のマイクロプロセッサ、ＤＳＰコアと連携した少なくとも１つのマイクロプロセッサ、または任意の他のそのような構成）としてインプリメントされ得る。このことから、ここに説明された機能は、少なくとも１つの集積回路（ＩＣ）上で、少なくとも１つの他の処理ユニット（またはコア）によって遂行され得る。様々な例では、異なるタイプのＩＣ（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はまた、全体的にあるいは部分的に、メモリ中で具現化された命令によりインプリメントされ、少なくとも１つの汎用または特定用途向けプロセッサによって実行されるようにフォーマットされ得る。
【０２００】
[0208]添付された図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【図１】
2019512937.tif 000003
【図２】
2019512937.tif 000004
【図３】
2019512937.tif 000005
【図４】
2019512937.tif 000006
【図５】
2019512937.tif 000007
【図６】
2019512937.tif 000008
【図７】
2019512937.tif 000009
【図８】
2019512937.tif 000010
【図９】
2019512937.tif 000011
【図１０】
2019512937.tif 000012
【図１１】
2019512937.tif 000013
【図１２】
2019512937.tif 000014
【図１３】
2019512937.tif 000015
【図１４】
2019512937.tif 000016
【図１５】
2019512937.tif 000017
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アンテナのセットを使用して第１の無線アクセス技術（ＲＡＴ）の無線周波数スペクトル帯域上で通信することと、
第２のＲＡＴの前記無線周波数スペクトル帯域上で第１のスキャンを遂行するようにアンテナの前記セットのうちの少なくとも１つのアンテナを再構成することと、
前記第２のＲＡＴの前記無線周波数スペクトル帯域上で第２のスキャンを遂行するようにアンテナの前記セットのうちのアンテナの残りの部分を再構成するかどうかを前記第１のスキャンに少なくとも部分的に基づいて決定することと、
アクセスポイントカウント値がチャネル条件メトリックより低いことを前記第１のスキャンに少なくとも部分的に基づいて決定することと、
前記第２のスキャンを遂行するようにアンテナの前記セットのうちのアンテナの前記残りの部分を再構成することを控えることと
を備える、方法。
【請求項２】
アクセスポイントカウント値がしきい値レベルより大きいことを前記第１のスキャンに少なくとも部分的に基づいて決定することをさらに備え、前記第２のスキャンを遂行するようにアンテナの前記セットのうちのアンテナの前記残りの部分を再構成することを控えることは、前記しきい値レベルより大きい前記アクセスポイントカウント値に少なくとも部分的にさらに基づく、
請求項１に記載の方法。
【請求項３】
アクセスポイントのセットのうちの少なくとも１つのアクセスポイントが前記第１のスキャン中に検出されたことを前記第１のスキャンに少なくとも部分的に基づいて決定することをさらに備え、前記第２のスキャンを遂行するようにアンテナの前記セットのうちのアンテナの前記残りの部分を再構成することを控えることは、前記少なくともアクセスポイントの前記検出に少なくとも部分的にさらに基づく、
請求項１に記載の方法。
【請求項４】
複数の無線周波数スペクトル帯域についてのチャネルスキャン分布値が予め定義された偏差値内にあることを決定することをさらに備え、前記第２のＲＡＴの前記無線周波数スペクトル帯域上で前記第１のスキャンを遂行するようにアンテナの前記セットのうちの前記少なくとも１つのアンテナを前記チャネルスキャン分布値に少なくとも部分的に基づいて再構成することは、前記チャネルスキャン分布値に少なくとも部分的に基づく、
請求項１に記載の方法。
【請求項５】
前記第１のスキャンが優先度スキャンに関連付けられることを決定することと、
前記優先度スキャンを遂行するようにアンテナの前記セットのうちのアンテナの前記残りの部分を再構成することと
をさらに備える、請求項１に記載の方法。
【請求項６】
異なる無線周波数スペクトル帯域に関連付けられた輻輳メトリックがしきい値レベルを上回ることを決定することと、
前記第１のスキャンを遂行するようにアンテナの前記セットのうちの前記少なくとも１つのアンテナを再構成することを控えることと
をさらに備える、請求項１に記載の方法。
【請求項７】
前記第１のＲＡＴの前記無線周波数スペクトル帯域上でのある時間期間中の前記通信についての優先度メトリックを識別することをさらに備える、
請求項１に記載の方法。
【請求項８】
前記ある時間期間中に前記第１のスキャンを遂行するようにアンテナの前記セットのうちの、前記少なくとも１つのアンテナ、アンテナの前記残りの部分、またはそれらの組み合わせを前記優先度メトリックに少なくとも部分的に基づいて再構成することをさらに備える、
請求項７に記載の方法。
【請求項９】
ワイヤレス通信の方法であって、
第１の無線アクセス技術（ＲＡＴ）の無線周波数スペクトル帯域上でのある時間期間中の通信についての優先度メトリックを識別することと、
第２のＲＡＴの前記無線周波数スペクトル帯域上でスキャンを遂行するようにアンテナのセットのうちの少なくとも１つのアンテナを前記優先度メトリックに少なくとも部分的に基づいて再構成することと、
前記第２のＲＡＴの前記無線周波数スペクトル帯域上で前記ある時間期間中に前記スキャンを遂行することと
を備える、方法。
【請求項１０】
前記第２のＲＡＴの前記無線周波数スペクトル帯域上で前記スキャンを遂行することは、前記第１のＲＡＴ上での前記ある時間期間中の前記通信に干渉することを備える、
請求項９に記載の方法。
【請求項１１】
前記スキャンは、デュアルアンテナチューンアウェイプロシージャを備える、
請求項１０に記載の方法。
【請求項１２】
前記優先度メトリックは、前記ある時間期間中の前記通信が少なくとも１つのブランクサブフレームを備えることを示す、
請求項９に記載の方法。
【請求項１３】
前記第１のＲＡＴの前記無線周波数スペクトル帯域上での前記通信の前記ある時間期間中の前記通信に干渉することを避けるために、前記第２のＲＡＴの前記無線周波数スペクトル帯域上で前記少なくとも１つのブランクサブフレーム中に前記スキャンを遂行すること  をさらに備える、
請求項１２に記載の方法。
【請求項１４】
ワイヤレス通信の方法であって、
アンテナのセットを使用して第１の無線アクセス技術（ＲＡＴ）の無線周波数スペクトル帯域上で通信することと、アンテナの前記セットは、前記通信に関連付けられたランクモードに少なくとも部分的に基づく、
前記通信に関連付けられた要求要件がしきい値レベルを下回ることをアンテナの前記セットのうちの少なくとも１つのアンテナについて決定することと、
第２のＲＡＴの前記無線周波数スペクトル帯域上で通信を遂行するようにアンテナの前記セットのうち前記の少なくとも１つのアンテナを前記要求要件に少なくとも部分的に基づいて再構成することと
を備える、方法。
【請求項１５】
前記要求要件は、前記通信がしきい値レベルを下回るスループット要件に関連付けられることを示す、
請求項１４に記載の方法。
【請求項１６】
前記要求要件は、前記通信がしきい値を上回るチャネル条件パラメータに関連付けられることを示す、
請求項１４に記載の方法。
【請求項１７】
前記要求要件は、前記通信が予め定義された変調およびコーディングスキームに関連付けられることを示す、
請求項１４に記載の方法。
【請求項１８】
アンテナの前記セットのうちの前記少なくとも１つのアンテナが再構成されたというインジケーションを備えるメッセージをアクセスポイントに送信することをさらに備える、
請求項１４に記載の方法。
【請求項１９】
前記メッセージは、多入力／多出力（ＭＩＭＯ）省電力（ＰＳ）アクションフレームを備える、
請求項１８に記載の方法。
【請求項２０】
前記第１のＲＡＴの前記無線周波数スペクトル帯域上でのある時間期間中の通信についての優先度メトリックを識別することと、
前記第２のＲＡＴの前記無線周波数スペクトル帯域上で通信を遂行するようにアンテナの前記セットのうちの前記少なくとも１つのアンテナを再構成することと
をさらに備える、請求項１４に記載の方法。
【請求項２１】
前記第１の無線アクセス技術（ＲＡＴ）の前記無線周波数スペクトル帯域上での通信のためにアンテナの前記セットのうちの少なくとも１つのアンテナを構成することと、
第２のＲＡＴの前記無線周波数スペクトル帯域上でスキャンを遂行することに関連付けられたスキャン要求を受信することと
をさらに備える、請求項１４に記載の方法。
【請求項２２】
前記第２のＲＡＴの前記無線周波数スペクトル帯域上で前記スキャンを前記スキャン要求に少なくとも部分的に基づいて遂行することをさらに備える、
請求項２１に記載の方法。
【請求項２３】
前記スキャンに関連付けられたスキャン結果を示す出力を提供することをさらに備える、
請求項２２に記載の方法。
【請求項２４】
前記スキャン中に受信されたメッセージの少なくとも一部分を復号することと、
前記メッセージに関連付けられた情報を前記スキャン結果に含めるかどうかを前記メッセージの前記復号された一部分に少なくとも部分的に基づいて決定することと
をさらに備える、請求項２３に記載の方法。
【請求項２５】
前記第１のＲＡＴの前記無線周波数スペクトル帯域上での前記通信に関連付けられたある時間期間の間の低減された通信要件を識別することと、
前記ある時間期間中に遂行されるように前記スキャンをスケジューリングすることと
をさらに備える、請求項２１に記載の方法。
【請求項２６】
前記ある時間期間は、送信時間間隔の少なくとも一部分を備える、請求項２５に記載の方法。
【請求項２７】
ワイヤレス通信の方法であって、
第１の無線アクセス技術（ＲＡＴ）の無線周波数スペクトル帯域上での通信のために使用されるランクモード修正スケジュールに関連付けられたある時間期間を識別することと、
第２のＲＡＴの前記無線周波数スペクトル帯域上でのバースト通信要件を識別すること、前記バースト通信要件は、前記ランクモード修正スケジュールに関連付けられた前記ある時間期間より短い持続時間を備える、と、
前記第２のＲＡＴの前記無線周波数スペクトル帯域上で前記持続時間中にバースト通信を遂行するようにアンテナのセットのうちの少なくとも１つのアンテナを、前記持続時間が時間的により短いことに少なくとも部分的に基づいて再構成することと
を備える、方法。
【請求項２８】
前記バースト通信は、前記第２のＲＡＴの前記無線周波数スペクトル帯域上でのチャネル測定プロシージャを備える、請求項２７に記載の方法。
【請求項２９】
アンテナの前記セットのうちの前記少なくとも１つのアンテナが再構成されたことを示すメッセージを基地局に送信することを控えることをさらに備える、
請求項２７に記載の方法。
【手続補正２】
【補正対象書類名】明細書
【補正対象項目名】０２００
【補正方法】変更
【補正の内容】
【０２００】
[0208]添付された図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
以下に、本願出願の当初の特許請求の範囲に記載された発明を付記する。
［Ｃ１］
ワイヤレス通信の方法であって、
アンテナのセットを使用して第１の無線アクセス技術（ＲＡＴ）の無線周波数スペクトル帯域上で通信することと、
第２のＲＡＴの前記無線周波数スペクトル帯域上で第１のスキャンを遂行するようにアンテナの前記セットのうちの少なくとも１つのアンテナを再構成することと、
前記第２のＲＡＴの前記無線周波数スペクトル帯域上で第２のスキャンを遂行するようにアンテナの前記セットのうちのアンテナの残りの部分を再構成するかどうかを前記第１のスキャンに少なくとも部分的に基づいて決定することと
を備える、方法。
［Ｃ２］
アクセスポイントカウント値がチャネル条件メトリックより低いことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、［Ｃ１］に記載の方法。
［Ｃ３］
アクセスポイントカウントがしきい値レベルより大きいことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、［Ｃ１］に記載の方法。
［Ｃ４］
アクセスポイントのセットのうちの少なくとも１つのアクセスポイントが前記第１のスキャン中に検出されたことを前記第１のスキャンに少なくとも部分的に基づいて決定することと、
前記第２のスキャンを遂行するようにアンテナの前記セットのうちのアンテナの前記残りの部分を再構成することを控えることと
をさらに備える、［Ｃ１］に記載の方法。
［Ｃ５］
複数の無線周波数スペクトル帯域についてのチャネルスキャン分布値が予め定義された偏差値内にあることを決定することと、
前記第２のＲＡＴの前記無線周波数スペクトル帯域上で前記第１のスキャンを遂行するようにアンテナの前記セットのうちの前記少なくとも１つのアンテナを前記チャネルスキャン分布値に少なくとも部分的に基づいて再構成することと
をさらに備える、［Ｃ１］に記載の方法。
［Ｃ６］
前記第１のスキャンが優先度スキャンに関連付けられることを決定することと、
前記優先度スキャンを遂行するようにアンテナの前記セットのうちのアンテナの前記残りの部分を再構成することと
をさらに備える、［Ｃ１］に記載の方法。
［Ｃ７］
異なる無線周波数スペクトル帯域に関連付けられた輻輳メトリックがしきい値レベルを上回ることを決定することと、
前記第１のスキャンを遂行するようにアンテナの前記セットのうちの前記少なくとも１つのアンテナを再構成することを控えることと
をさらに備える、［Ｃ１］に記載の方法。
［Ｃ８］
前記第１のＲＡＴの前記無線周波数スペクトル帯域上でのある時間期間中の前記通信についての優先度メトリックを識別することをさらに備える、
［Ｃ１］に記載の方法。
［Ｃ９］
前記ある時間期間中に前記第１および第２のスキャンを遂行するようにアンテナの前記セットのうちの、前記少なくとも１つのアンテナ、アンテナの前記残りの部分、またはそれらの組み合わせを前記優先度メトリックに少なくとも部分的に基づいて再構成することをさらに備える、
［Ｃ８］に記載の方法。
［Ｃ１０］
ワイヤレス通信の方法であって、
第１の無線アクセス技術（ＲＡＴ）の無線周波数スペクトル帯域上でのある時間期間中の通信についての優先度メトリックを識別することと、
第２のＲＡＴの前記無線周波数スペクトル帯域上でスキャンを遂行するようにアンテナのセットのうちの少なくとも１つのアンテナを前記優先度メトリックに少なくとも部分的に基づいて再構成することと、
前記第２のＲＡＴの前記無線周波数スペクトル帯域上で前記ある時間期間中に前記スキャンを遂行することと
を備える、方法。
［Ｃ１１］
前記第２のＲＡＴの前記無線周波数スペクトル帯域上で前記スキャンを遂行することは、前記第１のＲＡＴ上での前記ある時間期間中の前記通信に干渉することを備える、
［Ｃ１０］に記載の方法。
［Ｃ１２］
前記スキャンは、デュアルアンテナチューンアウェイプロシージャを備える、
［Ｃ１１］に記載の方法。
［Ｃ１３］
前記優先度メトリックは、前記ある時間期間中の前記通信が少なくとも１つのブランクサブフレームを備えることを示す、
［Ｃ１０］に記載の方法。
［Ｃ１４］
前記第１のＲＡＴの前記無線周波数スペクトル帯域上での前記通信の前記ある時間期間中の前記通信に干渉することを避けるために、前記第２のＲＡＴの前記無線周波数スペクトル帯域上で前記少なくとも１つのブランクサブフレーム中に前記スキャンを遂行すること  をさらに備える、
［Ｃ１３］に記載の方法。
［Ｃ１５］
ワイヤレス通信の方法であって、
アンテナのセットを使用して第１の無線アクセス技術（ＲＡＴ）の無線周波数スペクトル帯域上で通信することと、アンテナの前記セットは、前記通信に関連付けられたランクモードに少なくとも部分的に基づく、
前記通信に関連付けられた要求要件がしきい値レベルを下回ることをアンテナの前記セットのうちの少なくとも１つのアンテナについて決定することと、
第２のＲＡＴの前記無線周波数スペクトル帯域上で通信を遂行するようにアンテナの前記セットのうち前記の少なくとも１つのアンテナを前記要求要件に少なくとも部分的に基づいて再構成することと
を備える、方法。
［Ｃ１６］
前記要求要件は、前記通信がしきい値レベルを下回るスループット要件に関連付けられることを示す、
［Ｃ１５］に記載の方法。
［Ｃ１７］
前記要求要件は、前記通信がしきい値を上回るチャネル条件パラメータに関連付けられることを示す、
［Ｃ１５］に記載の方法。
［Ｃ１８］
前記要求要件は、前記通信が予め定義された変調およびコーディングスキームに関連付けられることを示す、
［Ｃ１５］に記載の方法。
［Ｃ１９］
アンテナの前記セットのうちの前記少なくとも１つのアンテナが再構成されたというインジケーションを備えるメッセージをアクセスポイントに送信することをさらに備える、
［Ｃ１５］に記載の方法。
［Ｃ２０］
前記メッセージは、多入力／多出力（ＭＩＭＯ）省電力（ＰＳ）アクションフレームを備える、
［Ｃ１９］に記載の方法。
［Ｃ２１］
前記第１のＲＡＴの前記無線周波数スペクトル帯域上でのある時間期間中の通信についての優先度メトリックを識別することと、
前記第２のＲＡＴの前記無線周波数スペクトル帯域上で通信を遂行するようにアンテナの前記セットのうちの前記少なくとも１つのアンテナを再構成することと
をさらに備える、［Ｃ１５］に記載の方法。
［Ｃ２２］
前記第１の無線アクセス技術（ＲＡＴ）の前記無線周波数スペクトル帯域上での通信のためにアンテナの前記セットのうちの少なくとも１つのアンテナを構成することと、
第２のＲＡＴの前記無線周波数スペクトル帯域上でスキャンを遂行することに関連付けられたスキャン要求を受信することと
をさらに備える、［Ｃ１５］に記載の方法。
［Ｃ２３］
前記第２のＲＡＴの前記無線周波数スペクトル帯域上で前記スキャンを前記スキャン要求に少なくとも部分的に基づいて遂行することをさらに備える、
［Ｃ２２］に記載の方法。
［Ｃ２４］
前記スキャンに関連付けられたスキャン結果を示す出力を提供することをさらに備える、
［Ｃ２３］に記載の方法。
［Ｃ２５］
前記スキャン中に受信されたメッセージの少なくとも一部分を復号することと、
前記メッセージに関連付けられた情報を前記スキャン結果に含めるかどうかを前記メッセージの前記復号された一部分に少なくとも部分的に基づいて決定することと
をさらに備える、［Ｃ２４］に記載の方法。
［Ｃ２６］
前記第１のＲＡＴの前記無線周波数スペクトル帯域上での前記通信に関連付けられたある時間期間の間の低減された通信要件を識別することと、
前記ある時間期間中に遂行されるように前記スキャンをスケジューリングすることと
をさらに備える、［Ｃ２２］に記載の方法。
［Ｃ２７］
前記ある時間期間は、送信時間間隔の少なくとも一部分を備える、［Ｃ２６］に記載の方法。
［Ｃ２８］
ワイヤレス通信の方法であって、
第１の無線アクセス技術（ＲＡＴ）の無線周波数スペクトル帯域上での通信のために使用されるランクモード修正スケジュールに関連付けられたある時間期間を識別することと、
第２のＲＡＴの前記無線周波数スペクトル帯域上でのバースト通信要件を識別すること、前記バースト通信要件は、前記ランクモード修正スケジュールに関連付けられた前記ある時間期間より短い持続時間を備える、と、
前記第２のＲＡＴの前記無線周波数スペクトル帯域上で前記持続時間中にバースト通信を遂行するようにアンテナのセットのうちの少なくとも１つのアンテナを、前記持続時間が時間的により短いことに少なくとも部分的に基づいて再構成することと
を備える、方法。
［Ｃ２９］
前記バースト通信は、前記第２のＲＡＴの前記無線周波数スペクトル帯域上でのチャネル測定プロシージャを備える、［Ｃ２８］に記載の方法。
［Ｃ３０］
アンテナの前記セットのうちの前記少なくとも１つのアンテナが再構成されたことを示すメッセージを基地局に送信することを控えることをさらに備える、
［Ｃ２８］に記載の方法。
【国際調査報告】
2019512937.tif 000018
2019512937.tif 000019
2019512937.tif 000020
2019512937.tif 000021
2019512937.tif 000022
2019512937.tif 000023